(57)【特許請求の範囲】
【請求項１】
基地局（ＢＳ）によるワイヤレス通信のための方法であって、
時間リソースのセット、周波数リソースのセット、またはそれらの組み合わせに、ページング信号と同期信号とを多重化するか否かを決定することと、前記決定することは、前記ＢＳによってサービスされる少なくとも１つのユーザ機器（ＵＥ）の能力、動作周波数帯域、または前記ページング信号のトーン間隔および前記同期信号のトーン間隔の組み合わせに基づき、前記動作周波数に基づいて多重化するか否かを決定することは、時間領域、周波数領域、またはそれらの組み合わせ、のうちの少なくとも１つにおいて、前記同期信号およびページング許可のためのサーチスペースをオーバーラップさせるか否かを決定することを含み、前記ページング信号は、ページングメッセージをスケジューリングする前記ページング許可を含み、前記ページング許可は、物理ダウンリンク制御チャネル（ＰＤＣＣＨ）を介して搬送され、前記ページングメッセージは、物理ダウンリンク共有チャネル（ＰＤＳＣＨ）を介して搬送される、
前記決定に基づいて前記ページング信号と前記同期信号とを多重化することと、
を備える、方法。
【請求項２】
前記多重化することは、前記ページングメッセージと前記同期信号とを周波数分割多重化することを備え、前記ページングメッセージと前記同期信号とは、同じ時間リソースであるが異なる周波数リソースに割り当てられる、請求項１に記載の方法。
【請求項３】
前記多重化することは、前記ページング許可と前記同期信号とを時分割多重化することを備え、前記ページング許可と前記同期信号とは、異なる時間リソースに割り当てられる、請求項２に記載の方法。
【請求項４】
前記ページング信号の前記トーン間隔および前記同期信号の前記トーン間隔の組み合わせに基づいて多重化するか否かを決定することは、前記ページング許可の前記トーン間隔が前記同期信号の前記トーン間隔と同じであると決定することに応答して、前記時間領域において前記ページング許可と前記同期信号とをオーバーラップさせることによって、前記ページング許可と前記同期信号とを周波数分割多重化すると決定することを含む、請求項１に記載の方法。
【請求項５】
前記ページング信号の前記トーン間隔および前記同期信号の前記トーン間隔の組み合わせに基づいて多重化するか否かを決定することは、前記ページング許可の前記トーン間隔が前記同期信号の前記トーン間隔とは異なると決定することに応答して、前記時間領域において前記ページング許可と前記同期信号とをオーバーラップさせないと決定することを含む、請求項４に記載の方法。
【請求項６】
前記ページング許可は、デフォルトのサーチスペースを通じて送信されるページング許可に対応する、請求項４に記載の方法。
【請求項７】
前記ページング許可のための前記サーチスペースは、前記ページング許可のためのデフォルトのサーチスペースに対応する、請求項１に記載の方法。
【請求項８】
前記多重化することは、前記ページング信号と前記同期信号とを周波数分割多重化（ＦＤＭ）することを含む、請求項１に記載の方法。
【請求項９】
前記同期信号および前記ページング許可のための前記サーチスペースをオーバーラップさせるか否かを前記決定することは、前記ＦＤＭに必要とされる最低限の帯域幅上の通信を前記ＢＳと前記少なくとも１つのＵＥとの両方が少なくともサポートしている場合、前記ページング信号と前記同期信号とをＦＤＭすると決定することを備える、請求項８に記載の方法。
【請求項１０】
前記同期信号および前記ページング許可のための前記サーチスペースをオーバーラップさせるか否かを前記決定することは、同期信号バースト（ＳＳバースト）のサブセットにおいて、前記ページング信号と前記同期信号とをＦＤＭすると決定することを備える、請求項８に記載の方法。
【請求項１１】
前記同期信号および前記ページング許可のための前記サーチスペースをオーバーラップさせるか否かを前記決定することは、同期信号ブロック（ＳＳブロック）のサブセットにおいて、前記ページング信号と前記同期信号とをＦＤＭすると決定することを備える、請求項８に記載の方法。
【請求項１２】
前記ページング信号と前記同期信号とを多重化するか否かを前記決定することは、前記ＢＳが少なくとも最低限の品質で前記同期信号を送信することができる場合、前記ページング信号と前記同期信号とを多重化すると決定することを備える、請求項１に記載の方法。
【請求項１３】
少なくとも最低限の品質で前記同期信号を送信することは、少なくとも最低限の電力で前記同期信号を送信することを含む、請求項１２に記載の方法。
【請求項１４】
前記ページング信号と前記同期信号とを多重化するか否かを前記決定することは、対象とする送信ビーム上で前記ＢＳが前記ページング信号と前記同期信号とを送信することができ、かつ対象とする受信ビーム上で前記少なくとも１つのＵＥが前記ページング信号と前記同期信号とを受信することができる場合、前記ページング信号と前記同期信号とを多重化すると決定することを備える、請求項１に記載の方法。
【請求項１５】
前記ＰＤＣＣＨ、無線リソース制御（ＲＲＣ）シグナリング、マスタ情報ブロック（ＭＩＢ）、スケジューリング情報、システム情報、または同期信号のうちの少なくとも１つを介して、前記少なくとも１つのＵＥの前記能力に関する情報を報告するよう求めるリクエストを、前記少なくとも１つのＵＥに送信すること、
をさらに備える、請求項１に記載の方法。
【請求項１６】
物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記少なくとも１つのＵＥの前記能力に関する情報を受信すること、
をさらに備える、請求項１に記載の方法。
【請求項１７】
動作周波数帯域に基づいて多重化するか否かを前記決定することは、第１の周波数帯域において前記ページング信号と前記同期信号とを周波数分割多重化すると決定することと、第２の周波数帯域において前記ページング信号と前記同期信号とを多重化しないと決定することとを備える、請求項１に記載の方法。
【請求項１８】
動作周波数帯域に基づいて多重化するか否かを前記決定することは、前記動作周波数帯域で動作する前記ＢＳの能力または前記少なくとも１つのＵＥの前記能力のうちの少なくとも１つに基づき、前記少なくとも１つのＵＥの前記能力は、前記動作周波数帯域で動作する前記少なくとも１つのＵＥの能力を備える、請求項１７に記載の方法。
【請求項１９】
前記第１の周波数帯域は、６ＧＨｚよりも高く、前記第２の周波数帯域は、サブ６ＧＨｚ帯域である、請求項１７に記載の方法。
【請求項２０】
前記多重化することは、周波数リソースの第１のセットを前記ページング信号に、周波数リソースの第２のセットを前記同期信号に割り振ることを備え、前記第１のセットと前記第２のセットとは、オーバーラップしない、請求項１に記載の方法。
【請求項２１】
前記多重化することは、周波数リソースの第１のセットを前記ページング信号に、周波数リソースの第２のセットを前記同期信号に割り振ることを備え、前記第１のセットと前記第２のセットとは、少なくとも部分的にオーバーラップする、請求項１に記載の方法。
【請求項２２】
前記ページング信号の送信は、前記同期信号の周辺でレートマッチングされる、請求項２１に記載の方法。
【請求項２３】
前記同期信号は、物理ブロードキャストチャネル（ＰＢＣＨ）、プライマリ同期信号（ＰＳＳ）、およびセカンダリ同期信号（ＳＳＳ）を有する同期信号ブロックを含む、請求項１に記載の方法。
【請求項２４】
ユーザ機器（ＵＥ）によるワイヤレス通信の方法であって、
ページング信号と同期信号とが基地局（ＢＳ）で多重化されるか否かを決定する際に使用するために、前記ＵＥの少なくとも１つの能力を送信することと、
前記ページング信号と前記同期信号とが前記基地局によって多重化されることを示す情報を受信することと、前記情報は、前記同期信号およびページング許可のためのサーチスペースが時間領域、周波数領域、またはそれらの組み合わせ、のうちの少なくとも１つにおいてオーバーラップするか否かを示し、前記ページング信号は、ページングメッセージをスケジューリングする前記ページング許可を含み、前記ページング許可は、物理ダウンリンク制御チャネル（ＰＤＣＣＨ）を介して受信され、前記ページングメッセージは、物理ダウンリンク共有チャネル（ＰＤＳＣＨ）を介して受信される、
前記受信した能力に基づいて、前記ＵＥで受信した多重化されたページング信号と同期信号とを処理することと、
を備える、方法。
【請求項２５】
前記ＵＥの前記少なくとも１つの能力を報告するよう求めるリクエストを受信することをさらに備え、前記送信することは、前記リクエストに応答する、請求項２４に記載の方法。
【請求項２６】
前記リクエストを受信することは、物理ダウンリンク制御チャネル（ＰＤＣＣＨ）、無線リソース制御（ＲＲＣ）シグナリング、マスタ情報ブロック（ＭＩＢ）、スケジューリング情報、システム情報、または同期信号のうちの少なくとも１つを介して、前記ＢＳから前記リクエストを受信することを備える、請求項２５に記載の方法。
【請求項２７】
前記送信することは、物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記ＵＥの前記少なくとも１つの能力を送信することを備える、請求項２４に記載の方法。
【請求項２８】
前記少なくとも１つの能力は、前記ＵＥによってサポートされる最低限の帯域幅、前記ＵＥで利用可能なアンテナポートの数、または前記ＵＥで利用可能なアンテナ要素サブアレイの数、のうちの少なくとも１つを含む、請求項２４に記載の方法。
【請求項２９】
前記処理することは、時間リソースのセット、周波数リソースのセット、またはそれらの組み合わせにおいて受信された、前記ページング信号と前記同期信号とを処理することを含む、請求項２４に記載の方法。
【請求項３０】
基地局（ＢＳ）によるワイヤレス通信のための装置であって、
時間リソースのセット、周波数リソースのセット、またはそれらの組み合わせに、ページング信号と同期信号とを多重化するか否かを決定するための手段と、前記決定することは、前記ＢＳによってサービスされる少なくとも１つのユーザ機器（ＵＥ）の能力、動作周波数帯域、または前記ページング信号のトーン間隔および前記同期信号のトーン間隔の組み合わせに基づき、前記動作周波数帯域に基づいて多重化するか否かを決定することは、時間領域、周波数領域、またはそれらの組み合わせ、のうちの少なくとも１つにおいて、前記同期信号およびページング許可のためのサーチスペースをオーバーラップさせるか否かを決定することを含み、前記ページング信号は、ページングメッセージをスケジューリングする前記ページング許可を含み、前記ページング許可は、物理ダウンリンク制御チャネル（ＰＤＣＣＨ）を介して搬送され、前記ページングメッセージは、物理ダウンリンク共有チャネル（ＰＤＳＣＨ）を介して搬送される、
前記決定に基づいて前記ページング信号と前記同期信号とを多重化するための手段と、
を備える、装置。
【請求項３１】
前記多重化するための手段は、前記ページングメッセージと前記同期信号とを周波数分割多重化し、前記ページングメッセージと前記同期信号とは、同じ時間リソースであるが異なる周波数リソースに割り当てられる、請求項３０に記載の装置。
【請求項３２】
前記多重化するための手段は、前記ページング許可と前記同期信号とを時分割多重化し、前記ページング許可と前記同期信号とは、異なる時間リソースであるが同じ周波数リソースに割り当てられる、請求項３１に記載の装置。
【請求項３３】
前記ページング信号の前記トーン間隔および前記同期信号の前記トーン間隔の組み合わせに基づいて多重化するか否かを決定するための前記手段は、前記ページング許可の前記トーン間隔が前記同期信号の前記トーン間隔と同じであると決定することに応答して、前記時間領域において前記ページング許可と前記同期信号とをオーバーラップさせることによって、前記ページング許可と前記同期信号とを周波数分割多重化すると決定するように構成される、請求項３０に記載の装置。
【請求項３４】
トーン間隔の組み合わせに基づいて多重化するか否かを決定するための前記手段は、前記ページング許可の前記トーン間隔が前記同期信号の前記トーン間隔とは異なると決定することに応答して、前記時間領域において前記ページング許可と前記同期信号とをオーバーラップさせないと決定するように構成される、請求項３３に記載の装置。
【請求項３５】
前記ページング許可は、デフォルトのサーチスペースを通じて送信されるページング許可に対応する、請求項３３に記載の装置。
【請求項３６】
前記ページング許可のための前記サーチスペースは、前記ページング許可のためのデフォルトのサーチスペースに対応する、請求項３０に記載の装置。
【請求項３７】
前記多重化するための手段は、前記ページング信号と前記同期信号とを周波数分割多重化（ＦＤＭ）するように構成される、請求項３０に記載の装置。
【請求項３８】
前記決定するための手段は、前記ＦＤＭに必要とされる最低限の帯域幅上の通信を前記ＢＳと前記少なくとも１つのＵＥとの両方が少なくともサポートしている場合、前記ページング信号と前記同期信号とをＦＤＭすると決定するように構成される、請求項３７に記載の装置。
【請求項３９】
前記決定するための手段は、同期信号バースト（ＳＳバースト）のサブセットにおいて、前記ページング信号と前記同期信号とをＦＤＭすると決定するように構成される、請求項３７に記載の装置。
【請求項４０】
前記決定するための手段は、同期信号ブロック（ＳＳブロック）のサブセットにおいて、前記ページング信号と前記同期信号とをＦＤＭすると決定するように構成される、請求項３７に記載の装置。
【請求項４１】
前記決定するための手段は、前記ＢＳが少なくとも最低限の品質で前記同期信号を送信することができる場合、前記ページング信号と前記同期信号とを多重化すると決定するように構成される、請求項３０に記載の装置。
【請求項４２】
少なくとも最低限の品質で前記同期信号を送信することは、少なくとも最低限の電力で前記同期信号を送信することを含む、請求項４１に記載の装置。
【請求項４３】
前記決定するための手段は、対象とする送信ビーム上で前記ＢＳが前記ページング信号と前記同期信号とを送信することができ、かつ対象とする受信ビーム上で前記少なくとも１つのＵＥが前記ページング信号と前記同期信号とを受信することができる場合、前記ページング信号と前記同期信号とを多重化すると決定するように構成される、請求項３０に記載の装置。
【請求項４４】
前記ＰＤＣＣＨ、無線リソース制御（ＲＲＣ）シグナリング、マスタ情報ブロック（ＭＩＢ）、スケジューリング情報、システム情報、または同期信号のうちの少なくとも１つを介して、前記少なくとも１つのＵＥの前記能力に関する情報を報告するよう求めるリクエストを、前記少なくとも１つのＵＥに送信するための手段、
をさらに備える、請求項３０に記載の装置。
【請求項４５】
物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記少なくとも１つのＵＥの前記能力に関する情報を受信するための手段、
をさらに備える、請求項３０に記載の装置。
【請求項４６】
動作周波数帯域に基づいて多重化するか否かを前記決定するための手段は、第１の周波数帯域において前記ページング信号と前記同期信号とを周波数分割多重化すると決定し、第２の周波数帯域において前記ページング信号と前記同期信号とを多重化しないと決定するように構成される、請求項３０に記載の装置。
【請求項４７】
動作周波数帯域に基づいて多重化するか否かを前記決定することは、前記動作周波数帯域で動作する前記ＢＳの能力または前記少なくとも１つのＵＥの前記能力のうちの少なくとも１つに基づいて決定するように構成され、前記少なくとも１つのＵＥの前記能力は、前記動作周波数帯域で動作する前記少なくとも１つのＵＥの能力を備える、請求項４６に記載の装置。
【請求項４８】
前記第１の周波数帯域は、６ＧＨｚよりも高く、前記第２の周波数帯域は、サブ６ＧＨｚ帯域である、請求項４６に記載の装置。
【請求項４９】
前記多重化するための手段は、周波数リソースの第１のセットを前記ページング信号に、周波数リソースの第２のセットを前記同期信号に割り振るように構成され、前記第１のセットと前記第２のセットとは、オーバーラップしない、請求項３０に記載の装置。
【請求項５０】
前記多重化するための手段は、周波数リソースの第１のセットを前記ページング信号に、周波数リソースの第２のセットを前記同期信号に割り振るように構成され、前記第１のセットと前記第２のセットとは、少なくとも部分的にオーバーラップする、請求項３０に記載の装置。
【請求項５１】
前記ページング信号の送信は、前記同期信号の周辺でレートマッチングされる、請求項５０に記載の装置。
【請求項５２】
前記同期信号は、物理ブロードキャストチャネル（ＰＢＣＨ）、プライマリ同期信号（ＰＳＳ）、およびセカンダリ同期信号（ＳＳＳ）を有する同期信号ブロックを含む、請求項３０に記載の装置。
【請求項５３】
ユーザ機器（ＵＥ）によるワイヤレス通信のための装置であって、
ページング信号と同期信号とが基地局（ＢＳ）で多重化されるか否かを決定する際に使用するために、前記ＵＥの少なくとも１つの能力を送信するための手段と、
前記ページング信号と前記同期信号とが前記基地局によって多重化されることを示す情報を受信するための手段と、前記情報は、前記同期信号およびページング許可のためのサーチスペースが時間領域、周波数領域、またはそれらの組み合わせ、のうちの少なくとも１つにおいてオーバーラップするか否かを示し、前記ページング信号は、ページングメッセージをスケジューリングする前記ページング許可を含み、前記ページング許可は、物理ダウンリンク制御チャネル（ＰＤＣＣＨ）を介して受信され、前記ページングメッセージは、物理ダウンリンク共有チャネル（ＰＤＳＣＨ）を介して受信される、
前記受信した能力に基づいて、前記ＵＥで受信した多重化されたページング信号と同期信号とを処理するための手段と、
を備える、装置。
【請求項５４】
前記ＵＥの前記少なくとも１つの能力を報告するよう求めるリクエストを受信するための手段をさらに備え、前記送信することは、前記リクエストに応答する、請求項５３に記載の装置。
【請求項５５】
前記リクエストを前記受信するための手段は、物理ダウンリンク制御チャネル（ＰＤＣＣＨ）、無線リソース制御（ＲＲＣ）シグナリング、マスタ情報ブロック（ＭＩＢ）、スケジューリング情報、システム情報、または同期信号のうちの少なくとも１つを介して、前記ＢＳから前記リクエストを受信するように構成される、請求項５４に記載の装置。
【請求項５６】
前記送信するための手段は、物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記ＵＥの前記少なくとも１つの能力を送信するように構成される、請求項５３に記載の装置。
【請求項５７】
前記少なくとも１つの能力は、前記ＵＥによってサポートされる最低限の帯域幅、前記ＵＥで利用可能なアンテナポートの数、または前記ＵＥで利用可能なアンテナ要素サブアレイの数、のうちの少なくとも１つを含む、請求項５３に記載の装置。
【請求項５８】
前記処理するための手段は、時間リソースのセット、周波数リソースのセット、またはそれらの組み合わせにおいて受信された、前記ページング信号と前記同期信号とを処理するように構成される、請求項５３に記載の装置。
【請求項５９】
基地局（ＢＳ）によるワイヤレス通信のための装置であって、
時間リソースのセット、周波数リソースのセット、またはそれらの組み合わせに、ページング信号と同期信号とを多重化するか否かを決定することと、前記決定することは、前記ＢＳによってサービスされる少なくとも１つのユーザ機器（ＵＥ）の能力、動作周波数帯域、または前記ページング信号のトーン間隔および前記同期信号のトーン間隔の組み合わせ、のうちの少なくとも１つに基づき、前記動作周波数帯域に基づいて多重化するか否かを決定することは、時間領域、周波数領域、またはそれらの組み合わせ、のうちの少なくとも１つにおいて、前記同期信号およびページング許可のためのサーチスペースをオーバーラップさせるか否かを決定することを含み、前記ページング信号は、ページングメッセージをスケジューリングする前記ページング許可を含み、前記ページング許可は、物理ダウンリンク制御チャネル（ＰＤＣＣＨ）を介して搬送され、前記ページングメッセージは、物理ダウンリンク共有チャネル（ＰＤＳＣＨ）を介して搬送される、
前記決定に基づいて前記ページング信号と前記同期信号とを多重化することと
を行うように構成された少なくとも１つのプロセッサと、
前記少なくとも１つのプロセッサに結合されたメモリと、
を備える、装置。
【請求項６０】
前記少なくとも１つのプロセッサは、前記ページングメッセージと前記同期信号とを周波数分割多重化することによって多重化するように構成され、前記ページングメッセージと前記同期信号とは、同じ時間リソースであるが異なる周波数リソースに割り当てられる、請求項５９に記載の装置。
【請求項６１】
前記少なくとも１つのプロセッサは、前記ページング許可と前記同期信号とを時分割多重化することによって多重化するように構成され、前記ページング許可と前記同期信号とは、異なる時間リソースであるが同じ周波数リソースに割り当てられる、請求項６０に記載の装置。
【請求項６２】
前記少なくとも１つのプロセッサは、前記ページング許可の前記トーン間隔が前記同期信号の前記トーン間隔と同じであると決定することに応答して、前記時間領域において前記ページング許可と前記同期信号とをオーバーラップさせることによって、前記ページング許可と前記同期信号とを周波数分割多重化すると決定することによって、前記ページング信号の前記トーン間隔および前記同期信号の前記トーン間隔の組み合わせに基づいて多重化するか否かを決定する、請求項５９に記載の装置。
【請求項６３】
前記少なくとも１つのプロセッサは、前記ページング許可の前記トーン間隔が前記同期信号の前記トーン間隔とは異なると決定することに応答して、前記時間領域において前記ページング許可と前記同期信号とをオーバーラップさせないと決定することによって、前記ページング信号の前記トーン間隔および前記同期信号の前記トーン間隔の組み合わせに基づいて多重化するか否かを決定する、請求項６２に記載の装置。
【請求項６４】
前記ページング許可は、デフォルトのサーチスペースを通じて送信されるページング許可に対応する、請求項６２に記載の装置。
【請求項６５】
前記ページング許可のための前記サーチスペースは、前記ページング許可のためのデフォルトのサーチスペースに対応する、請求項５９に記載の装置。
【請求項６６】
前記少なくとも１つのプロセッサは、前記ページング信号と前記同期信号とを周波数分割多重化（ＦＤＭ）するように構成される、請求項５８に記載の装置。
【請求項６７】
前記少なくとも１つのプロセッサは、前記ＦＤＭに必要とされる最低限の帯域幅上の通信を前記ＢＳと前記少なくとも１つのＵＥとの両方が少なくともサポートしている場合、前記ページング信号と前記同期信号とをＦＤＭすると決定するように構成される、請求項６６に記載の装置。
【請求項６８】
前記少なくとも１つのプロセッサは、同期信号バースト（ＳＳバースト）のサブセットにおいて、前記ページング信号と前記同期信号とをＦＤＭすると決定するように構成される、請求項６６に記載の装置。
【請求項６９】
前記少なくとも１つのプロセッサは、同期信号ブロック（ＳＳブロック）のサブセットにおいて、前記ページング信号と前記同期信号とをＦＤＭすると決定するように構成される、請求項６６に記載の装置。
【請求項７０】
前記少なくとも１つのプロセッサは、前記ＢＳが少なくとも最低限の品質で前記同期信号を送信することができる場合、前記ページング信号と前記同期信号とを多重化すると決定するように構成される、請求項５９に記載の装置。
【請求項７１】
前記少なくとも１つのプロセッサは、少なくとも最低限の電力で前記同期信号を送信することによって、少なくとも前記最低限の品質で前記同期信号を送信するように構成される、請求項７０に記載の装置。
【請求項７２】
前記少なくとも１つのプロセッサは、対象とする送信ビーム上で前記ＢＳが前記ページング信号と前記同期信号とを送信することができ、かつ対象とする受信ビーム上で前記少なくとも１つのＵＥが前記ページング信号と前記同期信号とを受信することができる場合、前記ページング信号と前記同期信号とを多重化すると決定するように構成される、請求項５９に記載の装置。
【請求項７３】
前記少なくとも１つのプロセッサは、
前記ＰＤＣＣＨ、無線リソース制御（ＲＲＣ）シグナリング、マスタ情報ブロック（ＭＩＢ）、スケジューリング情報、システム情報、または同期信号のうちの少なくとも１つの前記能力に関する情報を報告するよう求めるリクエストを、前記少なくとも１つのＵＥに送信すること、
を行うようにさらに構成される、請求項５９に記載の装置。
【請求項７４】
前記少なくとも１つのプロセッサは、
物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記少なくとも１つのＵＥの前記能力に関する情報を受信すること、
を行うようにさらに構成される、請求項５９に記載の装置。
【請求項７５】
前記少なくとも１つのプロセッサは、第１の周波数帯域において前記ページング信号と前記同期信号とを周波数分割多重化すると決定し、第２の周波数帯域において前記ページング信号と前記同期信号とを多重化しないと決定するように構成される、請求項５９に記載の装置。
【請求項７６】
前記少なくとも１つのプロセッサは、前記動作周波数帯域で動作する前記ＢＳの能力または前記少なくとも１つのＵＥの前記能力のうちの少なくとも１つに基づいて、動作周波数帯域において多重化するか否かを決定するように構成され、前記少なくとも１つのＵＥの前記能力は、前記動作周波数帯域で動作する前記少なくとも１つのＵＥの能力を備える、請求項７５に記載の装置。
【請求項７７】
前記第１の周波数帯域は、６ＧＨｚよりも高く、前記第２の周波数帯域は、サブ６ＧＨｚ帯域である、請求項７５に記載の装置。
【請求項７８】
前記少なくとも１つのプロセッサは、周波数リソースの第１のセットを前記ページング信号に、周波数リソースの第２のセットを前記同期信号に割り振ることによって多重化するように構成され、前記第１のセットと前記第２のセットとは、オーバーラップしない、請求項５９に記載の装置。
【請求項７９】
前記少なくとも１つのプロセッサは、周波数リソースの第１のセットを前記ページング信号に、周波数リソースの第２のセットを前記同期信号に割り振ることによって多重化するように構成され、前記第１のセットと前記第２のセットとは、少なくとも部分的にオーバーラップする、請求項５９に記載の装置。
【請求項８０】
前記少なくとも１つのプロセッサは、前記同期信号の周辺でレートマッチングされた前記ページング信号を送信するように構成される、請求項７９に記載の装置。
【請求項８１】
前記同期信号は、物理ブロードキャストチャネル（ＰＢＣＨ）、プライマリ同期信号（ＰＳＳ）、およびセカンダリ同期信号（ＳＳＳ）を有する同期信号ブロックを含む、請求項５９に記載の装置。
【請求項８２】
ユーザ機器（ＵＥ）によるワイヤレス通信のための装置であって、
ページング信号と同期信号とが基地局（ＢＳ）で多重化されるか否かを決定する際に使用するために、前記ＵＥの少なくとも１つの能力を送信することと、
前記ページング信号と前記同期信号とが前記基地局によって多重化されることを示す情報を受信することと、前記情報は、前記同期信号およびページング許可のためのサーチスペースが時間領域、周波数領域、またはそれらの組み合わせ、のうちの少なくとも１つにおいてオーバーラップするか否かを示し、前記ページング信号は、ページングメッセージをスケジューリングする前記ページング許可を含み、前記ページング許可は、物理ダウンリンク制御チャネル（ＰＤＣＣＨ）を介して受信され、前記ページングメッセージは、物理ダウンリンク共有チャネル（ＰＤＳＣＨ）を介して受信される、
前記受信した能力に基づいて、前記ＵＥで受信した多重化されたページング信号と同期信号とを処理することと、
を行うように構成された少なくとも１つのプロセッサと、
前記少なくとも１つのプロセッサに結合されたメモリと、
を備える、装置。
【請求項８３】
前記少なくとも１つのプロセッサはさらに、前記ＵＥの前記少なくとも１つの能力を報告するよう求めるリクエストを受信するように構成され、前記送信することは、前記リクエストに応答する、請求項８２に記載の装置。
【請求項８４】
前記リクエストを受信することは、物理ダウンリンク制御チャネル（ＰＤＣＣＨ）、無線リソース制御（ＲＲＣ）シグナリング、マスタ情報ブロック（ＭＩＢ）、スケジューリング情報、システム情報、または前記同期信号のうちの少なくとも１つを介して、前記ＢＳから前記リクエストを受信することを備える、請求項８３に記載の装置。
【請求項８５】
前記少なくとも１つのプロセッサは、物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記ＵＥの前記少なくとも１つの能力を送信することによって送信するように構成される、請求項８２に記載の装置。
【請求項８６】
前記少なくとも１つの能力は、前記ＵＥによってサポートされる最低限の帯域幅、前記ＵＥで利用可能なアンテナポートの数、または前記ＵＥで利用可能なアンテナ要素サブアレイの数、のうちの少なくとも１つを含む、請求項８２に記載の装置。
【請求項８７】
前記少なくとも１つのプロセッサは、時間リソースのセット、周波数リソースのセット、またはそれらの組み合わせにおいて受信された、前記ページング信号と前記同期信号とを処理することによって処理するように構成される、請求項８２に記載の装置。  
【発明の詳細な説明】
【関連出願の相互参照】
【０００１】
[0001]  本出願は、２０１７年５月１３日付で出願された「MULTIPLEXING PAGING SIGNALS WITH SYNCHRONIZATION SIGNALS IN NEW RADIO」と題された米国仮特許出願第６２／５０５，８５３号、および２０１７年７月１６日付で出願された「MULTIPLEXING PAGING SIGNALS WITH SYNCHRONIZATION SIGNALS IN NEW RADIO」と題された米国仮特許出願第６２／５２１，２６０号に対する優先権を主張する、２０１８年５月１０日付で出願された米国出願番号第１５／９７６，２４４号に対する優先権を主張し、それらは全て、その全体が参照により明示的に組み込まれている。
【技術分野】
【０００２】
[0002]  本開示は、ワイヤレス通信システムに関し、より具体的には、新無線（ＮＲ：new radio）システム中でページング信号を同期信号と多重化するための方法および装置に関する。
【背景技術】
【０００３】
[0003]  ワイヤレス通信システムは、電話、ビデオ、データ、メッセージング、およびブロードキャストなどの様々な電気通信サービスを提供するために広く展開されている。典型的なワイヤレス通信システムは、利用可能なシステムリソース（例えば、帯域幅、送信電力）を共有することによって複数のユーザとの通信をサポートすることが可能な多元接続技術を採用し得る。そのような多元接続技術の例は、ロングタームエボリューション（ＬＴＥ（登録商標））システム、符号分割多元接続（ＣＤＭＡ）システム、時分割多元接続（ＴＤＭＡ）システム、周波数分割多元接続（ＦＤＭＡ）システム、直交周波数分割多元接続（ＯＦＤＭＡ）システム、シングルキャリア周波数分割多元接続（ＳＣ−ＦＤＭＡ）システム、および時分割同期符号分割多元接続（ＴＤ−ＳＣＤＭＡ）システムを含む。
【０００４】
[0004]  例として、ワイヤレス多元接続通信システムは、いくつかの基地局を含み得、各々が、別名ユーザ機器（ＵＥ）として知られている複数の通信デバイスのための通信を同時にサポートする。ＬＴＥまたはＬＴＥ−Ａネットワークでは、１つまたは複数の基地局のセットは、ｅノードＢ（ｅＮＢ）を定義し得る。他の例では（例えば、次世代または第５世代（５Ｇ）ネットワークでは）、ワイヤレス多元接続通信システムは、いくつかの中央ユニット（ＣＵ：central units）（例えば、中央ノード（ＣＮ：central nodes）、アクセスノードコントローラ（ＡＮＣ：access node controllers）など）と通信する、いくつかの分散ユニット（ＤＵ：distributed unit）（例えば、エッジユニット（ＥＵ：edge units）、エッジノード（ＥＮ：edge nodes）、無線ヘッド（ＲＨ：radio heads）、スマート無線ヘッド（ＳＲＨ：smart radio heads）、送受信ポイント（ＴＲＰ：transmission reception points）など）を含み得、ここで、中央ユニットと通信する１つまたは複数の分散ユニットのセットは、アクセスノード（例えば、新無線基地局（ＮＲ ＢＳ：new radio base station）、新無線ノードＢ（ＮＲ ＮＢ：new radio node-B）、ネットワークノード、５Ｇ ＮＢ、ｇＮＢなど）を定義し得る。基地局またはＤＵは、（例えば、基地局からまたはＵＥへの送信のための）ダウンリンクチャネル、および（例えば、ＵＥから基地局または分散ユニットへの送信のための）アップリンクチャネル上で、ＵＥのセットと通信し得る。
【０００５】
[0005]  これらの多元接続技術は、異なるワイヤレスデバイスが都市、国家、地域、さらには地球規模で通信することを可能にする共通プロトコルを提供するために様々な電気通信規格で採用されている。新興の電気通信規格の例は、新無線（ＮＲ）、例えば５Ｇ無線アクセスである。ＮＲは、第３世代パートナーシッププロジェクト（３ＧＰＰ（登録商標））によって公表されたＬＴＥモバイル規格の拡張セットである。それは、ビームフォーミング、多入力多出力（ＭＩＭＯ）アンテナ技術、およびキャリアアグリゲーションをサポートするとともに、ダウンリンク（ＤＬ）上およびアップリンク（ＵＬ）上でサイクリックプレフィクス（ＣＰ）を用いるＯＦＤＭＡを使用して、スペクトル効率を向上させること、コストを下げること、サービスを向上させること、新たなスペクトルを利用すること、および他のオープン規格とより良好に統合することによって、モバイルブロードバンドインターネットアクセスをより良好にサポートするように設計されている。
【０００６】
[0006]  しかしながら、モバイルブロードバンドアクセスに対する需要が増加し続けるにつれ、ＮＲ技術のさらなる改善の必要性が存在する。好ましくは、これらの改善は、他の多元接続技術と、これらの技術を採用する電気通信規格とに適用可能であるべきである。
【発明の概要】
【０００７】
[0007]  本開示のシステム、方法、およびデバイスは各々、いくつかの態様を有し、これらのうちのいずれも、その望ましい属性を単独で担うものではない。下記の特許請求の範囲によって示される本発明の範囲を限定することなく、いくつかの特徴が簡潔に説明されるだろう。この説明を考慮した後、また、特に「詳細な説明」と題するセクションを読んだ後、当業者であれば、ワイヤレスネットワークにおけるアクセスポイントと局の間での向上した通信を含む利点を本開示の特徴がどのように提供するかを理解するだろう。
【０００８】
[0008]  ある特定の態様は、基地局（ＢＳ）によるワイヤレス通信のための方法を提供する。方法は、一般に、時間リソースのセット、周波数リソースのセット、またはそれらの組み合わせに、ページング信号と同期信号とを多重化するか否かを決定することと、ここで、決定することは、ＢＳの能力、ＢＳによってサービスされる少なくとも１つのユーザ機器（ＵＥ）の能力、動作周波数帯域、またはページング信号および同期信号のトーン間隔の組み合わせ、のうちの少なくとも１つに基づいており、決定に基づいてページング信号と同期信号とを多重化することと、を含む。
【０００９】
[0009]  ある特定の態様は、ユーザ機器（ＵＥ）によるワイヤレス通信のための方法を提供する。方法は、一般に、ページング信号と同期信号とが基地局（ＢＳ）で多重化されるか否かを決定する際に使用するために、ＵＥの少なくとも１つの能力を送信することと、ＵＥの少なくとも１つの能力に基づいて、ＵＥで受信した多重化されたページング信号と同期信号とを処理することと、を含む。
【００１０】
[0010]  本開示のいくつかの態様は、基地局（ＢＳ）によるワイヤレス通信のための装置を提供する。装置は、一般に、時間リソースのセット、周波数リソースのセット、またはそれらの組み合わせに、ページング信号と同期信号とを多重化するか否かを決定するための手段と、決定することは、ＢＳの能力、ＢＳによってサービスされる少なくとも１つのユーザ機器（ＵＥ）の能力、動作周波数帯域、またはページング信号および同期信号のトーン間隔の組み合わせ、のうちの少なくとも１つに基づいており、決定に基づいてページング信号と同期信号とを多重化するための手段と、を含む。
【００１１】
[0011]  本開示のいくつかの態様は、ユーザ機器（ＵＥ）によるワイヤレス通信のための装置を提供する。装置は、一般に、ページング信号と同期信号とが基地局（ＢＳ）で多重化されるか否かを決定する際に使用するために、ＵＥの少なくとも１つの能力を送信するための手段と、ＵＥの少なくとも１つの能力に基づいて、ＵＥで受信した多重化されたページング信号と同期信号とを処理するための手段と、を含む。
【００１２】
[0012]  本開示のいくつかの態様は、基地局（ＢＳ）によるワイヤレス通信のための装置を提供する。装置は、一般に、少なくとも１つのプロセッサと、少なくとも１つのプロセッサに結合されたメモリとを含む。少なくとも１つのプロセッサは、一般に、時間リソースのセット、周波数リソースのセット、またはそれらの組み合わせに、ページング信号と同期信号とを多重化するか否かを決定することと、ここで、決定することは、ＢＳの能力、ＢＳによってサービスされる少なくとも１つのユーザ機器（ＵＥ）の能力、動作周波数帯域、またはページング信号および同期信号のトーン間隔の組み合わせ、のうちの少なくとも１つに基づいており、決定に基づいてページング信号と同期信号とを多重化することと、を行うように構成される。
【００１３】
[0013]  本開示のいくつかの態様は、ユーザ機器（ＵＥ）によるワイヤレス通信のための装置を提供する。装置は、一般に、少なくとも１つのプロセッサと、少なくとも１つのプロセッサに結合されたメモリとを含む。少なくとも１つのプロセッサは、一般に、ページング信号と同期信号とが基地局（ＢＳ）で多重化されるか否かを決定する際に使用するために、ＵＥの少なくとも１つの能力を送信することと、ＵＥの少なくとも１つの能力に基づいて、ＵＥで受信した多重化されたページング信号と同期信号とを処理することと、を行うように構成される。
【００１４】
[0014]  これら態様は概して、添付の図面を参照しておよびそれらによって例示されるように本明細書に実質的に説明される、方法、装置、システム、コンピュータ可読媒体、および処理システムを含む。
【００１５】
[0015]  上記のおよび関連する目的を達成するために、１つまたは複数の態様は、以下で十分に説明し、特に特許請求の範囲で指摘する特徴を備える。以下の説明および添付の図面は、１つまたは複数の態様のうちのいくつかの例示的な特徴を詳細に記載する。しかしながら、これらの特徴は、様々な態様の原理が採用され得る様々な方法のほんのいくつかを示すものであり、この説明は、全てのそのような態様およびそれらの均等物を含むことを意図する。
【００１６】
[0016]  本開示の上述された特徴が詳細に理解されることができるように、上記で簡潔に概要を述べたより詳細な説明が、態様を参照して行われ得、そのいくつかは、添付の図面において図示される。しかしながら、添付された図面は、本開示のある特定の典型的な態様のみを図示しており、従って、その説明が他の同等に効果的な態様を認め得ることから、その範囲を限定していると見なされるべきではないことに留意されたい。
【図面の簡単な説明】
【００１７】
【図１】[0017]  図１は、本開示のある特定の態様に従った、例となる電気通信システムを概念的に図示するブロック図である。
【図２】[0018]  図２は、本開示のある特定の態様に従った、分散されたＲＡＮの、例となる論理アーキテクチャを図示するブロック図である。
【図３】[0019]  図３は、本開示のある特定の態様に従った、分散されたＲＡＮの、例となる物理アーキテクチャを図示する図である。
【図４】[0020]  図４は、本開示のある特定の態様に従った、例となるＢＳおよびユーザ機器（ＵＥ）の設計を概念的に図示するブロック図である。
【図５】[0021]  図５は、本開示のある特定の態様に従った、通信プロトコルスタックを実装するための例を示す図である。
【図６】[0022]  図６は、本開示のある特定の態様に従った、ダウンリンクセントリック（ＤＬセントリック:downlink-centric）サブフレームの例を図示する。
【図７】[0023]  図７は、本開示のある特定の態様に従った、アップリンクセントリック（ＵＬセントリック：uplink-centric）サブフレームの例を例示する。
【図８】[0024]  図８は、本開示のある特定の態様に従った、例となる送信タイムラインを図示する。
【図９】[0025]  図９は、本開示のある特定の態様に従った、例となるリソースマッピングを図示する。
【図１０】[0026]  図１０は、本開示のある特定の態様に従った、ＮＲにおいてページング信号と同期信号とを多重化するために基地局（ＢＳ）（例えば、ｇＮＢ）によって行われる、例となる動作を図示する。
【図１１】[0027]  図１１は、本開示のある特定の態様に従った、受信した多重化されたページング信号と同期信号とのためにＵＥによって行われる、例となる動作を図示する。
【図１２】[0028]  図１２は、本開示のある特定の態様に従った、ページング信号と同期信号とのＦＤＭを図示する。
【詳細な説明】
【００１８】
[0029]  理解を容易にするため、可能な場合、図面に共通している同一の要素を指定するために同一の参照番号が使用されている。１つの態様に開示される要素は、具体的な説明がなくとも、他の実施形態において効果的に使用され得ることが予期される。
【００１９】
[0030]  ＮＲシステムでは、（例えば、無線リソース制御において、ＲＲＣアイドルモード）ＵＥのロケーションが知られていなため、同期信号と同様に、ページング信号もまたブロードキャストされる。そのため、送信がビームフォーミングされる高い周波数帯域（例えば、６ＧＨｚよりも高い）では、ページング送信は指向性（directional）がある。ページング信号が同期信号と同様にブロードキャストされるため、それらは、同期信号と同様にビームスイーピングを介して送信される必要がある。ビームスイーピングについて、基地局（例えば、ｇＮＢ）は、十分な角度の領域をカバーするために、異なる方向にビームを送信する。しかしながら、ビームスイーピングは、最適ではく、かつ低減されたスループットを含んだ非効率性をもたらし得る、多くのリソースオーバーヘッドを必要とする。
【００２０】
[0031]  ページング信号を送信する間のビームスイーピングの結果としてのリソースオーバーヘッドを低減するための１つの解決法は、ページング信号を同期信号と多重化することである。例えば、ページング信号は、同期信号と周波数分割多重化（ＦＤＭ）され得る。しかしながら、ページング信号と同期信号とを多重化する（例えば、ＦＤＭ）ための、ある特定の制限および欠点が存在し得る。
【００２１】
[0032]  本開示のある特定の態様は、基地局の能力、（例えば、ＢＳによってサービスされる）ＵＥの能力、またはページング信号と同期信号とのトーン間隔の組み合わせ、のうちの少なくとも１つに基づいて、ページング信号と同期信号とを多重化するための技法を論じている。
【００２２】
[0033]  本開示の態様は、新無線（ＮＲ）（新規の無線アクセス技術または５Ｇ技術）のための、装置、方法、処理システム、およびコンピュータ可読媒体を提供する。
【００２３】
[0034]  ＮＲは、（例えば、８０ＭＨｚを超える）広帯域幅をターゲットとする発展型モバイルブロードバンド（ｅＭＢＢ）、高キャリア周波数（例えば、６０ＧＨｚ）をターゲットとするミリ波（ｍｍＷ：millimeter wave）、非後方互換性ＭＴＣ技法をターゲットとするｍＭＴＣ（massive ＭＴＣ））、および／または超高信頼・低レイテンシ通信（ＵＲＬＬＣ：ultra-reliable low latency communications）をターゲットとしたミッションクリティカル（mission critical）などの様々なワイヤレス通信サービスをサポートし得る。これらのサービスは、レイテンシおよび信頼性要求を含み得る。これらのサービスはまた、それぞれのサービス品質（ＱｏＳ）要求を満たすために、異なる送信時間間隔（ＴＴＩ）を有し得る。加えて、これらのサービスは、同じサブフレーム中に共存し得る。
【００２４】
[0035]  以下の説明は例を提供するものであり、特許請求の範囲で述べられる範囲、適用可能性、または例を限定するものではない。本開示の範囲から逸脱することなく、説明される要素の機能および配列で変更がなされ得る。様々な例は、必要に応じて、様々なプロシージャまたはコンポーネントを省略、代用、あるいは追加し得る。例えば、説明される方法は、説明されるものとは異なる順序で行われ得、また、様々なステップが追加、省略、または組み合わせられ得る。また、いくつかの例に関して説明された特徴が、いくつかの他の例において組み合わせられ得る。例えば、本明細書に記載されている任意の数の態様を使用して、装置が実装され得るか、または方法が実施され得る。加えて、本開示の範囲は、本明細書に記載される開示の様々な態様に加えて、または本開示の様々な態様の他に、他の構造、機能、または構造および機能を使用して実施されるそのような装置または方法をカバーすることを意図している。本明細書に開示された開示のいずれの態様も、特許請求の範囲の１つまたは複数の要素によって具現化され得ることが理解されるべきである。「例示的な」という用語は、本明細書で「例、実例、または例示としての役割を果たす」という意味で用いられる。「例示的な」ものとして本明細書で説明される任意の態様は、必ずしも、他の態様よりも好ましいまたは有利であると解釈されるべきでない。
【００２５】
[0036]  本明細書で説明する技法は、ＬＴＥ、ＣＤＭＡ、ＴＤＭＡ、ＦＤＭＡ、ＯＦＤＭＡ、ＳＣ−ＦＤＭＡおよび他のネットワークなどの様々なワイヤレス通信ネットワークに使用され得る。「ネットワーク」および「システム」という用語は、しばしば互換的に使用される。ＣＤＭＡネットワークは、ユニバーサル地上波無線アクセス（ＵＴＲＡ）、ｃｄｍａ２０００などの無線技術を実装し得る。ＵＴＲＡは、ワイドバンドＣＤＭＡ（ＷＣＤＭＡ（登録商標））およびＣＤＭＡの他の変形を含む。ｃｄｍａ２０００は、ＩＳ−２０００、ＩＳ−９５、およびＩＳ−８５６規格をカバーする。ＴＤＭＡネットワークは、モバイル通信用グローバルシステム（ＧＳＭ（登録商標））などの無線技術を実施し得る。ＯＦＤＭＡネットワークは、ＮＲ（例えば、５Ｇ ＲＡ）発展型ＵＴＲＡ（Ｅ−ＵＴＲＡ）、ウルトラモバイルブロードバンド（ＵＭＢ）、ＩＥＥＥ８０２．１１（Ｗｉ−Ｆｉ（登録商標））、ＩＥＥＥ８０２．１６（ＷｉＭＡＸ（登録商標））、ＩＥＥＥ８０２．２０、フラッシュＯＦＤＭ（登録商標）などの無線技術を実装し得る。ＵＴＲＡおよびＥ−ＵＴＲＡは、ユニバーサルモバイル電気通信システム（ＵＭＴＳ）の一部である。ＮＲは、５Ｇ技術フォーラム（５ＧＴＦ：5G Technology Forum）とともに開発中の新生のワイヤレス通信技術である。３ＧＰＰロングタームエボリューション（ＬＴＥ）およびＬＴＥ−Ａｄｖａｎｃｅｄ（ＬＴＥ−Ａ）は、Ｅ−ＵＴＲＡを使用するＵＭＴＳのリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）という名称の団体からの文書に説明されている。ｃｄｍａ２０００およびＵＭＢは、「第３世代パートナーシッププロジェクト２」（３ＧＰＰ２）という名称の団体からの文書に説明されている。本明細書で説明する技法は、上述されたワイヤレスネットワークおよび無線技術、並びに他のワイヤレスネットワークおよび無線技術に使用され得る。明確化のために、３Ｇおよび／または４Ｇのワイヤレス技術に共通して関連付けられた専門用語を使用して態様が本明細書で説明され得るが、本開示の態様は、ＮＲ技術を含む、例えば５Ｇ以降といった、他の世代をベースとした通信システムにおいて適用され得る。
【００２６】
＜例となるワイヤレス通信システム＞
[0037]  図１は、新無線（ＮＲ）または５Ｇネットワークなどの、本開示の態様が行われ得る、例となるワイヤレスネットワーク１００を図示する。
【００２７】
[0038]  図１に図示されるように、ワイヤレスネットワーク１００は、いくつかのＢＳ１１０および他のネットワークエンティティを含み得る。ＢＳは、ＵＥと通信する局であり得る。各ＢＳ１１０は、特定の地理的エリアに対して通信カバレッジを提供することができる。３ＧＰＰでは、「セル」という用語は、この用語が使用されるコンテキストに応じて、ノードＢのカバレッジエリアおよび／またはこのカバレッジエリアにサービスしているノードＢサブシステムを指し得る。ＮＲシステムでは、「セル」およびｅＮＢ、ノードＢ、５Ｇ ＮＢ、ＡＰ、ＮＲ ＢＳ、ＮＲ ＢＳ、またはＴＲＰは、交換可能であり得る。いくつかの例では、セルは、必ずしも静的である必要はなく、セルの地理的エリアは、モバイル基地局のロケーションに従って移動し得る。いくつかの例では、基地局は、任意の適切なトランスポートネットワークを使用して、直接物理接続、仮想ネットワーク、または同様のものなどの、バックホールインターフェースの様々なタイプを通じて、互いとおよび／またはワイヤレスネットワーク１００中の１つまたは複数の他の基地局あるいはネットワークノード（図示せず）と相互接続し得る。
【００２８】
[0039]  一般に、任意の数のワイヤレスネットワークが、所与の地理的エリアに配置され得る。各ワイヤレスネットワークは、特定の無線アクセス技術（ＲＡＴ）をサポートし得、１つまたは複数の周波数上で動作し得る。ＲＡＴはまた、無線技術、エアインターフェースなどとも呼ばれ得る。周波数はまた、キャリア、周波数チャネルなどとも呼ばれ得る。各周波数は、異なるＲＡＴのワイヤレスネットワーク間の干渉を避けるために、所与の地理的エリアにおいて単一のＲＡＴをサポートし得る。いくつかのケースでは、ＮＲまたは５Ｇ ＲＡＴネットワークが展開され得る。
【００２９】
[0040]  ＢＳは、マクロセル、ピコセル、フェムトセル、および／または他のタイプのセルに通信カバレッジを与え得る。マクロセルは、比較的大きい地理的エリア（例えば、半径数キロメートル）をカバーし、サービスに加入しているＵＥによる無制限アクセスを可能にする。ピコセルは、比較的小さい地理的エリアをカバーし、サービスに加入しているＵＥによる無制限アクセスを可能にする。フェムトセルは、比較的小さい地理的エリア（例えば、自宅）をカバーし得、フェムトセルと関連付け（association）を有するＵＥ（例えば、限定加入者グループ（ＣＳＧ：Closed Subscriber Group）中のＵＥ、自宅内のユーザのためのＵＥなど）による限定アクセスを可能にし得る。マクロセルのためのＢＳは、マクロＢＳと呼ばれ得る。ピコセルのためのＢＳは、ピコＢＳと呼ばれ得る。フェムトセルのためのＢＳは、フェムトＢＳまたはホームＢＳと呼ばれ得る。図１に示す例では、ＢＳ１１０ａ、１１０ｂ、および１１０ｃは、それぞれ、マクロセル１０２ａ、１０２ｂ、および１０２ｃのためのマクロＢＳであり得る。ＢＳ１１０ｘは、ピコセル１０２ｘのためのピコＢＳノードＢであり得る。ＢＳ１１０ｙおよび１１０ｚは、それぞれ、フェムトセル１０２ｙおよび１０２ｚのためのフェムトＢＳであり得る。１つのＢＳは、１つまたは複数の（例えば、３つの）セルをサポートし得る。
【００３０】
[0041]ワイヤレスネットワーク１００はまた、中継局（relay station）を含み得る。中継局は、アップストリーム局（例えば、ＢＳまたはＵＥ）からデータおよび／または他の情報の送信を受信し、そのデータおよび／または他の情報の送信をダウンストリーム局（例えば、ＵＥまたはＢＳ）に送る局である。中継局はまた、他のＵＥに対する送信を中継するＵＥであり得る。図１に示す例では、中継局１１０ｒは、ＢＳ１１０ａとＵＥ１２０ｒとの間の通信を可能にするために、ＢＳ１１０ａおよびＵＥ１２０ｒと通信し得る。中継局はまた、リレーＢＳ、リレーなどとも呼ばれ得る。
【００３１】
[0042]  ワイヤレスネットワーク１００は、様々なタイプのＢＳ、例えば、マクロＢＳ、ピコＢＳ、フェムトＢＳ、リレーなどを含む異種ネットワーク（ＨｅｔＮｅｔ）であり得る。これらの様々なタイプのｅＮＢは、様々な送信電力レベル、様々なカバレッジエリア、およびワイヤレスネットワーク１００中の干渉に対する様々な影響を有し得る。例えば、マクロＢＳは、高い送信電力レベル（例えば、２０ワット）を有し得るが、一方、ピコＢＳ、フェムトＢＳ、およびリレーは、より低い送信電力レベル（例えば、１ワット）を有し得る。
【００３２】
[0043]  ワイヤレスネットワーク１００は、同期動作または非同期動作をサポートし得る。同期動作の場合、ＢＳは同様のフレームタイミングを有し得、異なるＢＳからの送信は時間的に大まかにアラインされ（aligned）得る。非同期動作の場合、ＢＳは異なるフレームタイミングを有し得、異なるＢＳからの送信は時間的にアラインされ得ない。本明細書で説明する技法は、同期動作および非同期動作の両方のために使用され得る。
【００３３】
[0044]  ネットワークコントローラ１３０は、ＢＳのセットに結合され、これらのＢＳのための協調および制御を提供し得る。ネットワークコントローラ１３０は、バックホールを介してＢＳ１１０と通信し得る。ＢＳ１１０はまた、例えば、ワイヤレスバックホールまたはワイヤラインバックホールを介して直接または間接的に互いに通信し得る。
【００３４】
[0045]  ＵＥ１２０（例えば、１２０ｘ、１２０ｙなど）は、ワイヤレスネットワーク１００にわたって分散され得、各ＵＥは、固定式または移動式であり得る。ＵＥはまた、モバイル局、端末、アクセス端末、加入者局、局、加入者宅内機器（ＣＰＥ：Customer Premises Equipment）、セルラフォン、スマートフォン、パーソナルデジタルアシスタント（ＰＤＡ）、ワイヤレスモデム、ワイヤレス通信デバイス、ハンドヘルドデバイス、ラップトップコンピュータ、コードレスフォン、ワイヤレスローカルループ（ＷＬＬ）局、タブレット、カメラ、ゲーミングデバイス、ネットブック、スマートブック、ウルトラブック、モバイルデバイス、医療デバイスまたは医療機器、生体センサ／デバイス、例えばスマートウォッチ、スマート衣服、スマートメガネ、スマートリストバンド、および／またはスマートジュエリ（例えば、スマートリング、スマートブレスレットなど）のようなウェアラブルデバイス、エンターテイメントデバイス（例えば、音楽デバイス、ビデオデバイス、衛星ラジオなど）、車両コンポーネントまたはセンサ、スマートメータまたはセンサ、工業生産機器、全地球測位システムデバイスと呼ばれ得るか、あるいは、ワイヤレスまたはワイヤードモデムを介して通信するように構成された任意の他の適切なデバイスであり得る。いくつかのＵＥは、拡張されたまたはマシンタイプの通信（ＭＴＣ：machine-type communication）デバイス、または発展型ＭＴＣ（ｅＭＴＣ）デバイスと見なされ得る。ＭＴＣおよびｅＭＴＣ ＵＥは、例えば、ＢＳ、別のデバイス（例えば、リモートデバイス）、または何らかの他のエンティティと通信し得る、ロボット、ドローン、リモートデバイス、センサ、メータ、モニタ、ロケーションタグなどを含む。ワイヤレスノードは、例えば、ワイヤードまたはワイヤレス通信リンクを介した、ネットワーク（例えば、インターネットまたはセルラネットワークのような広域ネットワーク）のための接続、またはネットワークへの接続を提供し得る。いくつかのＵＥは、ＩｏＴ（internet-of-things）デバイスと見なされ得る。図１では、両矢印付きの実線は、ダウンリンクおよび／またはアップリンク上での、ＵＥと、そのＵＥをサービスするように指定されたＢＳであるサービングＢＳとの間の所望の送信を示す。両矢印付きの破線は、ＵＥとＢＳとの間の干渉送信を示す。
【００３５】
[0046]  ある特定のワイヤレスネットワーク（例えば、ＬＴＥ）は、ダウンリンク上では直交周波数分割多重化（ＯＦＤＭ：orthogonal frequency division multiplexing）を利用し、アップリンク上ではシングルキャリア周波数分割多重化（ＳＣ−ＦＤＭ）を利用する。ＯＦＤＭおよびＳＣ−ＦＤＭは、システム帯域幅（例えば、システム周波数帯域）を、一般にトーン、ビンなどとも呼ばれる複数（Ｋ）個の直交サブキャリアに区分する。各サブキャリアはデータで変調され得る。概して、変調シンボルは、ＯＦＤＭでは周波数領域で、ＳＣ−ＦＤＭでは時間領域で送られる。隣接するサブキャリア間の間隔は固定であり得、サブキャリアの総数（Ｋ）はシステム帯域幅に依存し得る。例えば、サブキャリアの間隔は１５ｋＨｚであり得、（「リソースブロック」と呼ばれる）最小リソース割り振りは１２個のサブキャリア（または１８０ｋＨｚ）であり得る。従って、公称ＦＦＴサイズは、１．２５、２．５、５、１０または２０メガヘルツ（ＭＨｚ）のシステム帯域幅に対してそれぞれ１２８、２５６、５１２、１０２４または２０４８に等しくなり得る。システム帯域幅をサブバンドに区分することもできる。例えば、サブバンドは、１．０８ＭＨｚ（すなわち、６リソースブロック）をカバーし得、システム帯域幅の１．２５、２．５、５、１０、または２０ＭＨｚに対してそれぞれ、１、２、４、８、または１６個のサブバンドが存在し得る。
【００３６】
[0047]  本明細書で説明される例の態様は、ＬＴＥ技術に関連付けられ得るが、一方、本開示の態様は、ＮＲなどの他のワイヤレス通信システムに適用可能であり得る。ＮＲは、アップリンクおよびダウンリンク上でＣＰを伴うＯＦＤＭを利用し得、時分割複信（ＴＤＤ）を使用する半二重動作のためのサポートを含み得る。１００ＭＨｚの単一のコンポーネントキャリア帯域幅がサポートされ得る。ＮＲリソースブロックは、０．１ｍｓの持続期間にわたって７５ｋＨｚのサブキャリア帯域幅を有する１２個のサブキャリアにわたり得る。各無線フレームは、１０ｍｓの長さを有する５０個のサブフレームで構成され得る。従って、各サブフレームは、０．２ｍｓの長さを有し得る。各サブフレームは、データ送信のためのリンク方向（すなわち、ＤＬまたはＵＬ）を示し得、各サブフレームのためのリンク方向が、動的に切り替えられ得る。各サブフレームは、ＤＬ／ＵＬデータ、並びにＤＬ／ＵＬ制御データを含み得る。ＮＲのためのＵＬおよびＤＬサブフレームは、図６および図７に関連して下記でより詳細に説明され得る。ビームフォーミングがサポートされ得、ビーム方向が動的に構成され得る。プリコーディングを用いたＭＩＭＯ送信もまたサポートされ得る。ＤＬにおけるＭＩＭＯ構成は、ＵＥごとに最大２ストリームおよび最大８ストリームのマルチレイヤＤＬ送信を有する、最大８個の送信アンテナをサポートし得る。ＵＥごとに最大２ストリームを有するマルチレイヤ送信がサポートされ得る。複数のセルのアグリゲーションは、最大８個のサービングセルを用いてサポートされ得る。代替的に、ＮＲは、ＯＦＤＭベース以外の、異なるエアインターフェースをサポートし得る。ＮＲネットワークは、ＣＵおよび／またはＤＵのようなエンティティを含み得る。
【００３７】
[0048]  いくつかの例では、エアインターフェースへのアクセスがスケジューリングされ得、ここで、スケジューリングエンティティ（例えば、基地局）は、そのサービスエリアまたはセル内のいくつかまたは全てのデバイスおよび機器間の通信のためにリソースを割り振る。本開示内では、さらに以下で説明されるように、スケジューリングエンティティは、１つまたは複数の下位（subordinate）エンティティのためにリソースをスケジューリング、割り当て、再構成、および解放することを担い得る。すなわち、スケジューリングされた通信について、下位エンティティは、スケジューリングエンティティによって割り振られたリソースを利用する。基地局は、スケジューリングエンティティとして機能し得る唯一のエンティティではない。すなわち、いくつかの例では、ＵＥがスケジューリングエンティティとして機能し得、１つまたは複数の下位エンティティ（例えば、１つまたは複数の他のＵＥ）のためにリソースをスケジューリングする。この例では、ＵＥはスケジューリングエンティティとして機能しており、他のＵＥは、ワイヤレス通信のためにＵＥによってスケジューリングされたリソースを利用する。ＵＥは、ピア・ツー・ピア（Ｐ２Ｐ）ネットワーク中、および／またはメッシュネットワーク中のスケジューリングエンティティとして機能し得る。メッシュネットワークの例では、ＵＥは、スケジューリングエンティティとの通信に加えて、任意で互いと直接通信し得る。
【００３８】
[0049]  よって、セルラ構成、Ｐ２Ｐ構成、およびメッシュ構成を有する、並びに、時間−周波数リソースへのスケジューリングされたアクセスを用いたワイヤレス通信ネットワークでは、スケジューリングエンティティおよび１つまたは複数の下位エンティティは、スケジューリングされたリソースを利用して通信し得る。
【００３９】
[0050]  上述されるように、ＲＡＮは、ＣＵおよびＤＵを含み得る。ＮＲ ＢＳ（例えば、ｇＮＢ、５ＧノードＢ、ノードＢ、送受信ポイント（ＴＲＰ）、アクセスポイント（ＡＰ））は、１つまたは複数のＢＳに対応し得る。ＮＲセルは、アクセスセル（ＡＣｅｌｌ：access cells）またはデータオンリーセル（ＤＣｅｌｌ：data only cells）として構成され得る。例えば、ＲＡＮ（例えば、中央ユニットまたは分散ユニット）は、セルを構成し得る。ＤＣｅｌｌは、キャリアアグリゲーションまたは二重接続のために使用されるセルであり得るが、初期アクセス、セル選択／再選択、またはハンドオーバのためには使用されない。いくつかのケースでは、ＤＣｅｌｌは、同期信号を送信し得ない――いくつかのケースではＤＣｅｌｌは、ＳＳを送信し得る。ＮＲ ＢＳは、セルタイプを示すダウンリンク信号をＵＥに送信し得る。セルタイプインジケーションに基づいて、ＵＥは、ＮＲ ＢＳと通信し得る。例えば、ＵＥは、示されたセルタイプに基づいて、セル選択、アクセス、ハンドオーバ、および／または測定（measurement）について考慮するために、ＮＲ ＢＳを決定し得る。
【００４０】
[0051]  図２は、分散された無線アクセスネットワーク（ＲＡＮ）２００の例となる論理アーキテクチャを図示し、これらは、図１に図示されたワイヤレス通信システム中で実装され得る。５Ｇアクセスノード２０６は、アクセスノードコントローラ（ＡＮＣ：access node controller）２０２を含み得る。ＡＮＣは、分散ＲＡＮ２００の中央ユニット（ＣＵ）であり得る。次世代コアネットワーク（ＮＧ−ＣＮ）２０４へのバックホールインターフェースは、ＡＮＣにおいて終端し得る。隣接する次世代アクセスノード（ＮＧ−ＡＮ：neighboring next generation access nodes）へのバックホールインターフェースは、ＡＮＣにおいて終端し得る。ＡＮＣは、（ＢＳ、ＮＲ ＢＳ、ノードＢ、５Ｇ ＮＢ、ＡＰ、または何らかの他の用語でも呼ばれ得る）１つまたは複数のＴＲＰ２０８を含み得る。上述されるように、ＴＲＰは、「セル」と互換的に使用され得る。
【００４１】
[0052]  ＴＲＰ２０８は、ＤＵであり得る。ＴＲＰは、１つのＡＮＣ（ＡＮＣ２０２）または１つ以上のＡＮＣ（図示せず）に接続され得る。例えば、ＲＡＮ共有、サービスとしての無線（ＲａａＳ：radio as a service）、およびサービス固有ＡＮＤ展開（service specific AND deployments）について、ＴＲＰは、１つ以上のＡＮＣに接続され得る。ＴＲＰは、１つまたは複数のアンテナポートを含み得る。ＴＲＰは、個別に（例えば、動的選択）または共同で（例えば、共同送信（joint transmission））ＵＥへのトラフィックをサービスするように構成され得る。
【００４２】
[0053]  ローカルアーキテクチャ２００は、フロントホール定義を示すために使用され得る。そのアーキテクチャは、異なる展開タイプにわたってフロントホールする解決法をサポートすることを定義する。例えば、アーキテクチャは、送信ネットワーク能力（例えば、帯域幅、レイテンシ、および／またはジッタ）に基づき得る。
【００４３】
[0054]  アーキテクチャは、特徴および／またはコンポーネントをＬＴＥと共有し得る。複数の態様によると、次世代ＡＮ（ＮＧ−ＡＮ）２１０は、ＮＲとの二重接続をサポートし得る。ＮＧ−ＡＮは、ＬＴＥおよびＮＲのための共通フロントホールを共有し得る。
【００４４】
[0055]  アーキテクチャは、ＴＲＰ２０８間（between and among）の協調を利用可能にし得る。例えば、協調は、ＡＮＣ２０２を介して１つのＴＲＰ内および／または複数のＴＲＰ間でプリセットされ得る。複数の態様に従って、ＴＲＰ間インターフェース（inter-TRP interface）が必要とされ得ない／存在し得ない。
【００４５】
[0056]  複数の態様によると、分割した論理機能の動的構成は、アーキテクチャ２００内に存在し得る。図５を参照してより詳細に説明されるように、無線リソース制御（ＲＲＣ）レイヤ、パケットデータコンバージェンスプロトコル（ＰＤＣＰ）レイヤ、無線リンク制御（ＲＬＣ）レイヤ、メディアアクセス制御（ＭＡＣ）レイヤ、および物理（ＰＨＹ）レイヤは、ＤＵまたはＣＵ（例えば、それぞれ、ＴＲＰまたはＡＮＣ）に適切に配置され得る。ある特定の態様に従って、ＢＳは、中央ユニット（ＣＵ）（例えば、ＡＮＣ２０２）および／または１つまたは複数の分散ユニット（例えば、１つまたは複数のＴＲＰ２０８）を含み得る。
【００４６】
[0057]  図３は、本開示の態様に従った、分散ＲＡＮ３００の例となる物理アーキテクチャを図示する。集中型コアネットワークユニット（Ｃ−ＣＵ）３０２は、コアネットワーク機能をホストし得る。Ｃ−ＣＵは、集中配置され（centrally deployed）得る。Ｃ−ＣＵ機能は、ピーク容量を処理するために、（例えば、Ａｄｖａｎｃｅｄワイヤレスサービス（ＡＷＳ：advanced wireless services）に）オフロードされ得る。
【００４７】
[0058]  集中型ＲＡＮユニット（Ｃ−ＲＵ）３０４は、１つまたは複数のＡＮＣ機能をホストし得る。オプションで、Ｃ−ＲＵは、コアネットワーク機能をローカルにホストし得る。Ｃ−ＲＵは、分散型配置（distributed deployment）を有し得る。Ｃ−ＲＵは、ネットワークエッジの近くにあり得る。
【００４８】
[0059]  ＤＵ３０６ｈは、１つまたは複数のＴＲＰ（エッジノード（ＥＮ）、エッジユニット（ＥＵ）、無線ヘッド（ＲＨ）、スマート無線ヘッド（ＳＲＨ）、または同様のもの）をホストし得る。ＤＵは、無線周波数（ＲＦ）機能を有してネットワークのエッジに位置し得る。
【００４９】
[0060]  図４は、図１に図示されたＢＳ１１０およびＵＥ１２０の構成要素の例を図示し、これらは本開示の態様を実施するために使用され得る。上述されるように、ＢＳは、ＴＲＰを含み得る。ＢＳ１１０およびＵＥ１２０の１つまたは複数の構成要素は、本開示の態様を実施するために使用され得る。例えば、アンテナ４５２、Ｔｘ／Ｒｘ２２２、プロセッサ４６６、４５８、４６４、および／またはＵＥ１２０および／またはアンテナ４３４のコントローラ／プロセッサ、プロセッサ４８０、プロセッサ４４０、４２０、４３８、および／またはＢＳ１１０のコントローラ／プロセッサ４４０は、本明細書で説明され、図８〜図１１を参照して図示される動作を行うために使用され得る。
【００５０】
[0061]  図４は、図１におけるＢＳのうちの１つおよびＵＥのうちの１つであり得る、ＢＳ１１０およびＵＥ１２０の設計のブロック図を示す。制限付き関連付けシナリオの場合、基地局１１０は図１中のマクロｅＮＢ１１０ｃであり得、ＵＥ１２０はＵＥ１２０ｙであり得る。基地局１１０はまた、何らかの他のタイプの基地局であり得る。基地局１１０はアンテナ４３４ａ〜４３４ｔを装備し得、ＵＥ１２０はアンテナ４５２ａ〜４５２ｒを装備し得る。
【００５１】
[0062]  基地局１１０において、送信プロセッサ４２０は、データソース４１２からデータを受信し、コントローラ／プロセッサ４４０から制御情報を受信し得る。制御情報は、物理ブロードキャストチャネル（ＰＢＣＨ）、物理制御フォーマット通知チャネル（ＰＣＦＩＣＨ）、物理ハイブリッドＡＲＱインジケータ・チャネル（ＰＨＩＣＨ）、物理ダウンリンク制御チャネル（ＰＤＣＣＨ）のためのものであり得る。データは、物理ダウンリンク共有チャネル（ＰＤＳＣＨ）などのためのものであり得る。送信プロセッサ４２０は、データと制御情報とを処理（例えば、符号化およびシンボルマッピング）し得、データシンボルと制御シンボルとをそれぞれ取得する。プロセッサ４２０はまた、例えば、ＰＳＳ、ＳＳＳ、およびセル固有基準信号のための基準シンボルを生成し得る。送信（ＴＸ）多入力多出力（ＭＩＭＯ）プロセッサ４３０は、適用可能な場合、データシンボル、制御シンボル、および／または基準シンボルに対して空間処理（例えば、プリコーディング）を実行し得、出力シンボルストリームを変調器（ＭＯＤ）４３２ａ〜４３２ｔに提供し得る。例えば、ＴＸ ＭＩＭＯプロセッサ４３０は、ＲＳ多重化のための、本明細書で説明されるある特定の態様を行い得る。各変調器４３２は、出力サンプルストリームを取得するために、（例えば、ＯＦＤＭなどの）それぞれの出力シンボルストリームを処理し得る。各変調器４３２はさらに、ダウンリンク信号を取得するために、出力サンプルストリームを処理（例えば、アナログへの変換、増幅、フィルタリング、およびアップコンバート）し得る。変調器４３２ａ〜４３２ｔからのダウンリンク信号は、それぞれアンテナ４３４ａ〜４３４ｔを介して送信され得る。
【００５２】
[0063]  ＵＥ１２０において、アンテナ４５２ａ〜４５２ｒは、基地局１１０からダウンリンク信号を受信し得、受信信号をそれぞれ復調器（ＤＥＭＯＤ）４５４ａ〜４５４ｒに提供し得る。各復調器４５４は、入力サンプルを取得するために、それぞれの受信信号を調整（例えば、フィルタリング、増幅、ダウンコンバート、およびデジタル化）し得る。各復調器４５４は、さらに、受信シンボルを取得するために、（例えば、ＯＦＤＭなどの）入力サンプルを処理し得る。ＭＩＭＯ検出器４５６は、全ての復調器４５４ａ〜４５４ｒから受信シンボルを取得し、適用可能な場合は受信シンボルに対してＭＩＭＯ検出を行い、検出シンボルを与え得る。例えば、ＭＩＭＯ検出器４５６は、本明細書で説明される技法を使用して送信された検出ＲＳを提供し得る。受信プロセッサ４５８は、検出シンボルを処理（例えば、復調、デインターリーブ、および復号）し、ＵＥ１２０の復号されたデータをデータシンク４６０に提供し、復号された制御情報をコントローラ／プロセッサ４８０に与え得る。１つまたは複数のケースによると、ＣｏＭＰの態様は、それらが分散ユニット内に存在するように、アンテナ並びにいくつかのＴｘ／Ｒｘ機能を提供することを含み得る。例えば、いくつかのＴｘ／Ｒｘ処理が中央ユニットで行われ得、一方、他の処理は、分散ユニットにおいて行われる。例えば、図に示されるような１つまたは複数の態様によると、ＢＳ変調／復調４３２は、分散ユニットにあり得る。
【００５３】
[0064]  アップリンク上では、ＵＥ１２０において、送信プロセッサ４６４が、データソース４６２から（例えば、物理アップリンク共有チャネル（ＰＵＳＣＨ）のための）データを、コントローラ／プロセッサ４８０から（例えば、物理アップリンク制御チャネル（ＰＵＣＣＨ）のための）制御情報を、受信および処理し得る。送信プロセッサ４６４はまた、基準信号のための基準シンボルを生成し得る。送信プロセッサ４６４からのシンボルは、適用可能な場合、ＴＸ ＭＩＭＯプロセッサ４６６によってプリコードされ、さらに（例えば、ＳＣ−ＦＤＭなどのために）変調器４５４ａ〜４５４ｒによって処理され、基地局１１０に送信され得る。ＢＳ１１０において、ＵＥ１２０からのアップリンク信号は、アンテナ４３４によって受信され、復調器４３２によって処理され、適用可能な場合はＭＩＭＯ検出器４３６によって検出され、さらにＵＥ１２０によって送られた復号されたデータおよび制御情報を取得するために、受信プロセッサ４３８によって処理され得る。受信プロセッサ４３８は、復号されたデータをデータシンク４３９に提供し、復号された制御情報をコントローラ／プロセッサ４４０に供給し得る。
【００５４】
[0065]  コントローラ／プロセッサ４４０および４８０は、それぞれ基地局１１０およびＵＥ１２０における動作を指示し得る。プロセッサ４４０および／または基地局１１０における他のプロセッサおよびモジュールは、例えば、図１０〜図１１に図示された機能ブロックの実行、および／または本明細書で説明される技術のための他の処理を行うかまたは指示し得る。ＵＥ１２０におけるプロセッサ４８０および／または他のプロセッサおよびモジュールは、本明細書で説明される技法のための処理を行うか、または指示し得る。メモリ４４２および４８２は、それぞれＢＳ１１０およびＵＥ１２０のためのデータおよびプログラムコードを記憶し得る。スケジューラ４４４は、ダウンリンク上および／またはアップリンク上でのデータ送信のためにＵＥをスケジュールし得る。
【００５５】
[0066]  図５は、本開示の態様にしたがった、通信プロトコルスタックを実装するための例を示す図５００を図示する。図示された通信プロトコルスタックは、５Ｇシステム（例えば、アップリンクベースのモビリティをサポートするシステム）において動作するデバイスによって実装され得る。図５００は、無線リソース制御（ＲＲＣ）レイヤ５１０、パケットデータコンバージェンスプロトコル（ＰＤＣＰ）レイヤ５１５、無線リンク制御（ＲＬＣ）レイヤ５２０、メディアアクセス制御（ＭＡＣ）レイヤ５２５、および物理（ＰＨＹ）レイヤ５３０を含む通信プロトコルスタックを図示する。様々な例では、プロトコルスタックのレイヤは、ソフトウェアの別個のモジュール、プロセッサまたはＡＳＩＣの一部分、通信リンクによって接続された非コロケートデバイスの一部分、またはそれらの様々な組み合わせとして実装され得る。コロケートされたおよびコロケートされていない実装は、例えば、ネットワークアクセスデバイス（例えば、ＡＮ、ＣＵ、および／またはＤＵ）、あるいはＵＥのためのプロトコルスタックにおいて使用され得る。
【００５６】
[0067]  第１のオプション５０５−ａは、プロトコルスタックの分割された実装を示し、それは、そのプロトコルスタックの実装が集中型ネットワークアクセスデバイス（例えば、図２のＡＮＣ２０２）と分散されたネットワークアクセスデバイス（例えば、図２のＤＵ２０８）との間で分割される。第１のオプション５０５−ａでは、ＲＲＣレイヤ５１０およびＰＤＣＰレイヤ５１５は、中央ユニットで実装され得、ＲＬＣレイヤ５２０、ＭＡＣレイヤ５２５、およびＰＨＹレイヤ５３０は、ＤＵによって実装され得る。ＣＵおよびＤＵの様々な例では、コロケートされるか、またはコロケートされない可能性があり得る。第１のオプション５０５−ａは、マクロセル、マイクロセル、またはピコセル配置において有用であり得る。
【００５７】
[0068]  第２のオプション５０５−ｂは、プロトコルスタックの統合された実装を示し、ここで、プロトコルスタックは、単一のネットワークアクセスデバイス（例えば、アクセスノード（ＡＮ）、新無線基地局（ＮＲ ＢＳ）、新無線ノードＢ（ＮＲ ＮＢ）、ネットワークノード（ＮＮ）、または同様のもの）において実装される。第２のオプションでは、ＲＲＣレイヤ５１０、ＰＤＣＰレイヤ５１５、ＲＬＣレイヤ５２０、ＭＡＣレイヤ５２５、およびＰＨＹレイヤ５３０は、各々ＡＮによって実装される。第２のオプション５０５−ｂは、フェムトセルの配置で有用であり得る。
【００５８】
[0069]  ネットワークアクセスデバイスがプロトコルスタックの一部を実装するか、または全てを実装するかに関わらず、ＵＥは、全体のプロトコルスタック（例えば、ＲＲＣレイヤ５１０、ＰＤＣＰレイヤ５１５、ＲＬＣレイヤ５２０、ＭＡＣレイヤ５２５、およびＰＨＹレイヤ５３０）を実装し得る。
【００５９】
[0070]  図６は、ＤＬセントリックサブフレームの例を示す図６００である。ＤＬセントリック(centric)サブフレームは、制御部６０２を含み得る。制御部６０２は、ＤＬセントリックサブフレームの初期または開始部分に存在し得る。制御部６０２は、ＤＬセントリックサブフレームの様々な部分に対応する様々なスケジューリング情報および／または制御情報を含み得る。いくつかの構成では、制御部６０２は、図６で示されるように、物理ＤＬ制御チャネルであり得る。ＤＬセントリックサブフレームはまた、ＤＬデータ部６０４も含み得る。ＤＬデータ部６０４は、ＤＬセントリックサブフレームのペイロードと呼ばれることもある。ＤＬデータ部６０４は、スケジューリングエンティティ（例えば、ＵＥまたはＢＳ）から下位エンティティ（例えば、ＵＥ）へＤＬデータを通信するために利用される通信リソースを含み得る。いくつかの構成では、ＤＬデータ部６０４は、物理ＤＬ共有チャネル（ＰＤＳＣＨ）であり得る。
【００６０】
[0071]  ＤＬセントリックサブフレームはまた、共通ＵＬ部６０６を含み得る。共通ＵＬ部６０６は、ＵＬバースト、共通ＵＬバースト、および／または様々な他の適切な用語で呼ばれ得ることもある。共通ＵＬ部６０６は、ＤＬセントリックサブフレームの様々な他の部分に対応するフィードバック情報を含み得る。例えば、共通ＵＬ部６０６は、制御部６０２に対応するフィードバック情報を含み得る。フィードバック情報の限定されない例は、ＡＣＫ信号、ＮＡＣＫ信号、ＨＡＲＱインジケータ、および／または様々な他の適切なタイプの情報を含み得る。共通ＵＬ部６０６は、ランダムアクセスチャネル（ＲＡＣＨ）プロシージャ、スケジューリングリクエスト（ＳＲ）、および様々な他の適切なタイプの情報に関連する情報などの追加的または代替的な情報を含み得る。図６に示されるように、ＤＬデータ部６０４の終端は、共通ＵＬ部６０６の始端から時間的に分離され得る。この時間分離は、ギャップ、ガード期間、ガードインターバル、および／または様々な他の適切な用語で呼ばれることもある。この分離は、ＤＬ通信（例えば、下位エンティティ（例えば、ＵＥ）による受信動作）から、ＵＬ通信（例えば、下位エンティティ（例えば、ＵＥ）による送信）への切り替えのための時間を提供する。前述のものが単にＤＬセントリックサブフレームの一例であり、また、同様の特徴を有する代替的構成が、本明細書で説明される態様から必ずしも逸脱せずに存在し得ることを、当業者は理解するだろう。
【００６１】
[0072]  図７は、ＵＬセントリックサブフレームの例を示す図７００である。ＵＬセントリックサブフレームは、制御部７０２を含み得る。制御部７０２は、ＵＬセントリックサブフレームの初期または開始部分に存在し得る。図７の制御部７０２は、図６に関連して上述された制御部と同様であり得る。ＵＬセントリックサブフレームはまた、ＵＬデータ部７０４も含み得る。ＵＬデータ部７０４は、ＵＬセントリックサブフレームのペイロードと呼ばれ得ることもある。ＵＬデータ部は、下位エンティティ（例えば、ＵＥ）からスケジューリングエンティティ（例えば、ＵＥまたはＢＳ）へのＵＬデータを通信するために利用される通信リソースを指し得る。いくつかの構成では、制御部７０２は、物理ＤＬリンク制御チャネル（ＰＤＣＣＨ）であり得る。
【００６２】
[0073]  図７に示されるように、制御部７０２の終わりは、ＵＬデータ部７０４の始まりから時間内に分割され得る。この時間分割は、ギャップ、ガード期間、ガードインターバル、および／または様々な他の適切な用語で呼ばれ得ることが多い。この分割は、ＤＬ通信（例えば、スケジューリングエンティティによる受信動作）から、ＵＬ通信（例えば、スケジューリングエンティティによる送信）への切り替えのための時間を提供する。ＵＬセントリックサブフレームはまた、共通ＵＬ部７０６を含み得る。図７中の共通ＵＬ部７０６は、図７に関連して上述された共通ＵＬ部７０６と同様であり得る。共通ＵＬ部７０６は、追加的にまたは代替的に、チャネル品質インジケータ（ＣＱＩ）、サウンディング基準信号（ＳＲＳ）、および様々な他の適切なタイプの情報に関連する情報を含み得る。前述のものが単にＵＬセントリックサブフレームの一例であり、また、同様の特徴を有する代替的構成が、本明細書で説明される態様から必ずしも逸脱せずに存在することを、当業者は理解するだろう。
【００６３】
[0074]  いくつかの状況では、２つ以上の下位エンティティ（例えば、ＵＥ）は、サイドリンク(sidelink)信号を使用して互いと通信し得る。このようなサイドリンク通信の現実世界のアプリケーションは、公共安全（public safety）、近接サービス、ＵＥからネットワークへの中継、車車間（Ｖ２Ｖ：vehicle-to-vehicle）通信、ＩｏＥ（Internet of Everything）通信、ＩｏＴ通信、ミッションクリティカルメッシュ、および／または様々な他の適切なアプリケーションを含み得る。概して、サイドリンク信号は、スケジューリングエンティティがスケジューリングおよび／または制御目的のために利用され得るとしても、スケジューリングエンティティ（例えば、ＵＥまたはＢＳ）を通してその通信を中継せずに、ある下位エンティティ（例えば、ＵＥ１）から別の下位エンティティ（例えば、ＵＥ２）に通信される信号を指し得る。いくつかの例では、サイドリンク信号は、（通常アンライセンススペクトルを使用する、ワイヤレスローカルエリアネットワークとは異なる）ライセンススペクトルを使用して通信され得る。
【００６４】
[0075]  ＵＥは、リソースの専用セット（例えば、無線リソース制御（ＲＲＣ）専用の状態など）を使用してパイロットを送信することに関連付けられた構成、またはリソースの共通セット（例えば、ＲＲＣ共通の状態など）を使用してパイロットを送信することに関連付けられた状態を含む、様々な無線リソース構成で動作し得る。ＲＲＣ専用の状態で動作するとき、ＵＥは、ネットワークにパイロット信号を送信するためのリソースの専用セットを選択し得る。ＲＲＣ共通状態で動作しているとき、ＵＥは、ネットワークにパイロット信号を送信するためにリソースの共通セットを選択し得る。いずれの場合にも、ＵＥによって送信されるパイロット信号は、ＡＮ、またはＤＵ、またはそれらの一部分のような１つまたは複数のネットワークアクセスデバイスによって受信され得る。各受信ネットワークアクセスデバイスは、リソースの共通セット上で送信されるパイロット信号を受信および測定し、また、ネットワークアクセスデバイスがＵＥのためのネットワークアクセスデバイスのモニタリングセットのメンバである当該ＵＥに割り振られるリソースの専用セット上で送信されるパイロット信号を受信および測定するように構成され得る。受信ネットワークアクセスデバイスがパイロット信号の測定を送信するＣＵ、または受信ネットワークアクセスデバイスのうちの１つまたは複数は、ＵＥのためのサービングセルを識別するために、あるいは、ＵＥの１つまたは複数についてのサービングセルの変更を開始するために測定を使用し得る。
【００６５】
＜新無線におけるページング信号と同期信号との例となる多重化＞
[0076]  ３ＧＰＰの５Ｇワイヤレス通信規格下では、ＮＲ同期（ｓｙｎｃｈ）信号（ＮＲ−ＳＳ）のための構造が定義されており、ＮＲ同期チャネルとも呼ばれ得る。５Ｇの下では、異なるタイプのｓｙｎｃｈ信号（例えば、プライマリ同期信号（ＰＳＳ）、セカンダリ同期信号（ＳＳＳ）、時間同期信号（ＴＳＳ）、ＰＢＣＨ）を搬送する連続したＯＦＤＭシンボルのセットが、ＳＳブロックを形成する。いくつかのケースでは、１つまたは複数のＳＳブロックのセットは、１つのＳＳバーストを形成し得る。加えて、異なるＳＳブロックは、異なるようにビームフォーミングされ得、例えば、異なるビーム上で異なる方向に送信される。一態様では、異なる方向にＳＳブロックを送信することは、ｓｙｎｃｈ信号についてのビームスイーピングを達成し、それは、セルを迅速に識別し捕捉するためにＵＥによって使用され得る。さらに、ＳＳブロック中の複数のチャネルのうちの１つまたは複数が、測定のために使用され得る。このような測定は、無線リンク測定（ＲＬＭ：radio link management）、ビーム測定などの様々な目的のために使用され得る。例えば、ＵＥは、セル品質を測定し、その品質を測定レポートの形式で報告し得、それが基地局によってビーム管理および他の目的のために使用され得る。
【００６６】
[0077]  図８は、本開示の態様に従った、新無線電気通信システムのための同期信号の、例となる送信タイムライン８００を図示する。図１に示されるＢＳ１１０などのＢＳは、本開示のある特定の態様に従って、Ｙマイクロ秒の期間８０６中、ＳＳバースト８０２を送信し得る。各ＳＳバースト８０２は、ゼロからＮ−１個のインデックスを有するＮ個のＳＳブロック８０４を含み得る。例えば、ＳＳバースト８０２は、６ＧＨｚまたはそれよりも高い周波数帯域に関して最大６４個のＳＳブロックを含み得る。一態様では、ＳＳバーストのＳＳブロックは、ＳＳバースト内で連続しない。上述したように、ＢＳは、（例えば、ビームスイーピングのために）異なる方向に異なる送信ビームを使用して、ＳＳバーストの同じかまたは異なるブロックを送信し得る。各ＳＳブロックは、例えば、プライマリ同期信号（ＰＳＳ）、セカンダリ同期信号（ＳＳＳ）、および１つまたは複数の物理ブロードキャストチャネル（ＰＢＣＨ）を含み得、同期チャネルとも呼ばれ得る。ＢＳは、Ｘミリ秒の期間８０８で周期的にＳＳバーストを送信し得る。
【００６７】
[0078]  図９は、本開示の態様に従った、例示的なＳＳブロック９０２のための、例となるリソースマッピング９００を図示する。例示的なＳＳブロック９０２は、期間９０４上（例えば、図８で示されるＹマイクロ秒）で図１中のＢＳ１１０などのＢＳによって送信され得る。例示的なＳＳブロック９０２は、ＰＳＳ９１０、ＳＳＳ９１２、および２つのＰＢＣＨ９２０および９２２を含んでいるが、本開示はこれらにそれほど限定されるものではなく、ＳＳブロックは、より多いまたはより少ない同期信号および同期チャネルを含んでもよい。一態様では、ＳＳブロックは、ＰＢＣＨのためのＤＭＲＳ（復調基準信号）を含み得る。図示されるように、ＰＢＣＨの送信帯域幅（Ｂ１）は、同期信号の送信帯域幅（Ｂ２）とは異なり得る。例えば、ＰＢＣＨの送信帯域幅は、２８８トーンであり得、一方、ＰＳＳおよびＳＳＳの送信帯域幅は、１２７トーンであり得る。
【００６８】
[0079]  ある特定の態様では、ＲＲＣアイドルモードにおいてＵＥとの接続セットアップを開始するために、ページングが基地局（例えば、ｇＮＢ）によって使用され得る。ページングはまた、ＲＲＣアイドルモードまたはＲＲＣ接続モード中に、システム情報の変更についてＵＥに通知するために、基地局によっても使用され得る。一般に、基地局は、ページング機会にＵＥにページング信号を送信する。基地局は、一般に、ページング信号を受信するためのページング機会をＵＥがモニタすることができるように、基地局がページング信号を送信するための構成されたページング機会に関する情報をＵＥに示す。一態様では、構成されたページング機会中にページング信号を送信することは、効率的なオン−オフスケジューリングをＵＥが実装することを可能にし、ここで、（例えば、ＲＲＣアイドルモード中の）ＵＥは、基地局からページを受信するための構成されたページング機会にのみオンとなる（turns on）。
【００６９】
[0080]  ＮＲシステムでは、（例えば、ＲＲＣアイドルモード中の）ＵＥのロケーションが知られていなため、同期信号と同様にページング信号もまたブロードキャストされる。そのため、送信がビームフォーミングされる高い周波数帯域（例えば、６ＧＨｚよりも高い）では、ページング送信は指向性である。ページング信号が同期信号と同様にブロードキャストされるため、それらは、同期信号と同様にビームスイーピングを介して送信される必要がある。ビームスイーピングについて、基地局（例えば、ｇＮＢ）は、十分な角度の領域をカバーするために、異なる方向にビームを送信する。しかしながら、ビームスイーピングは、最適ではなくかつ低減されたスループットを含んだ非効率性をもたらし得る、多くのリソースオーバーヘッドを必要とする。
【００７０】
[0081]  ページング信号送信中のビームスイーピングの結果としてのリソースオーバーヘッドを低減するための１つの解決法は、ページング信号を同期信号と多重化することである。例えば、ページング信号は、同期信号と周波数分割多重化（ＦＤＭ）され得る。
【００７１】
[0082]  しかしながら、ページング信号と同期信号とを多重化する（例えば、ＦＤＭ）ための、ある特定の制限および欠点が存在し得る。例えば、ページング信号と同期信号とのＦＤＭ（FDM of paging and synchronization signals）は、基地局によってサポートされる帯域幅および／または基地局によってサービスされるＵＥによって制限され得る。例えば、基地局および／または基地局によってサービスされる１つまたは複数のＵＥは、ページング信号と同期信号とのＦＤＭには不十分である、最低限の帯域幅（minimum bandwidth）のみをサポートし得る。よって、ページング信号と同期信号とをＦＤＭするために必要とされる帯域幅が、基地局および／または基地局によってサービスされる少なくとも１つのＵＥによってサポートされる帯域幅よりも大きい場合、基地局は、ページング信号と同期信号とをＦＤＭすることができない可能性がある。例えば、サブ６ＧＨｚ周波数帯域では、最低限サポートされる帯域幅は５ＭＨｚであり得、当該サポートされる帯域幅の４．３２ＭＨｚをＳＳブロック（例えば、ＳＳブロック中のＰＢＣＨ）が占有し得る。よって、特に、基地局および／またはＵＥが最低限の帯域幅のみをサポートする場合、ページング信号と同期信号とのＦＤＭのために利用可能な十分な帯域幅が存在しない。
【００７２】
[0083]  一態様では、ページング信号と同期信号とを多重化（例えば、ＦＤＭ）することは、同期信号のパフォーマンスに悪影響を及ぼし得る。例えば、多重化されたページング信号と同期信号とを送信するために、基地局は、その電力をページング信号と同期信号とに分割する必要があり得る。結果として、基地局は、他の信号と多重化されていない同期信号を送信するときのようなフルパワーで同期信号を送信することができ得ない。多重化は、送信されたページングおよび同期信号のＰＡＰＲ（ピーク対平均電力比）を増加させ得、そうでない場合、信号は、それらの低いＰＡＰＲ特性からの恩恵を受け得る。ページングおよび同期信号の低いＰＡＰＲ特性は、それらの信号をともに多重化するために失われる可能性がある。
【００７３】
[0084]  ある特定の態様では、多重化（例えば、ＦＤＭ）されたページングおよび同期信号のパフォーマンスは、基地局あるいは基地局によってサービスされる１つまたは複数のＵＥのうちの少なくとも１つの制限されたビームフォーミング能力によって制限され得る。例えば、ビームフォーミング能力のために、基地局および／またはＵＥは、多重化信号を送信または受信するのに同じビームを使用しなければならない可能性がある。しばしば、対象とされたビーム（intended beams）（例えば、ｓｙｎｃｈ信号またはページング信号の送信／受信を対象としたビーム）上でページング信号および同期信号を送信および／または受信することが有益であり得る。制限されたビームフォーミング能力は、基地局および／またはＵＥが、それらの対象とされたビームではなく、同じビームで、ページングおよび同期信号をそれぞれ送信および／または受信することを強制し得る。
【００７４】
[0085]  本開示のある特定の態様は、基地局の能力、ＢＳによってサービスされるＵＥの能力、周波数帯域幅の動作、またはページング信号と同期信号とのトーン間隔の組み合わせ、のうちの少なくとも１つに基づいて、ページング信号と同期信号とを多重化するための技法を論じている。
【００７５】
[0086]  図１０は、本開示のある特定の態様に従った、ＮＲにおいてページング信号と同期信号とを多重化するために基地局（ＢＳ）（例えば、ｇＮＢ）によって行われる、例となる動作１０００を図示する。動作１０００は、１００２において、時間リソースのセット、周波数リソースのセット、またはそれらの組み合わせにおいて、ページング信号と同期信号とを多重化するか否かを決定することによって始まり、ここで、決定することは、ＢＳの能力、ＢＳによってサービスされる少なくとも１つのＵＥの能力、動作周波数帯域、またはページング信号および同期信号のトーン間隔の組み合わせ（a combination of tone spacings of the paging signals and the synchronization signals）、のうちの少なくとも１つに基づいている。１００４において、ＢＳは、決定に基づいてページング信号と同期信号とを多重化する。
【００７６】
[0087]  ある特定の態様では、ＢＳの能力は、ＢＳによってサポートされる帯域幅（例えば、最低限の帯域幅）、ＢＳが信号を送信することができる電力（例えば、最低限の電力）、またはＢＳで利用可能なアンテナポートの数とＢＳにおいて利用可能なアンテナ要素サブアレイの数とを含むＢＳのビームフォーミング能力を含み得る。少なくとも１つのＵＥの能力は、ＵＥによってサポートされる帯域幅（例えば、最低限の帯域幅）、またはＵＥにおいて利用可能なアンテナポートの数とＵＥにおいて利用可能なアンテナ要素サブアレイの数とを含むＵＥのビームフォーミング能力を含み得る。
【００７７】
[0088]  ある特定の態様では、ページング信号は、ページングメッセージをスケジューリングするページング許可（grant）を含む。一態様では、ページング許可は、ＰＤＣＣＨを介して搬送され、ページングメッセージは、ＰＤＳＣＨを介して搬送される。
【００７８】
[0089]  ある特定の態様では、ＢＳは、ページングメッセージと同期信号とを周波数分割多重化し、ここで、ページングメッセージと同期信号とは、同じ時間リソースに割り当てられる（すなわち、時間領域中でオーバーラップする）が、周波数リソースは異なる。ある特定の態様では、ＢＳは、ページング許可と同期信号とを時分割多重化し、ここで、ページング許可と同期信号とは、異なる時間リソースに割り当てられる（すなわち、時間領域でオーバーラップしない）。
【００７９】
[0090]  一態様では、多重化することは、ページング信号と同期信号とを周波数分割多重化（ＦＤＭ）することを含む。ある特定の態様では、ページング信号と同期信号とのＦＤＭのために必要な最低限の帯域幅を、ＢＳとＢＳによってサービスされる少なくとも１つのＵＥとの両方が少なくともサポートしている場合、ＢＳは、ページング信号と同期信号とをＦＤＭすると決定し得る。言い換えると、ページング信号と同期信号とのＦＤＭをサポートするのに十分大きい帯域幅上でＢＳおよびＵＥの両方が通信できる場合、ＢＳは、ページング信号と同期信号とをＦＤＭすると決定し得る。
【００８０】
[0091]  一態様では、例えば、多重化とは関係なく、最低限必要な品質を有する同期信号をＢＳが送信できる場合、ＢＳは、ページング信号と同期信号とを多重化（例えば、ＦＤＭ）すると決定し得る。例えば、ページング信号との多重化の後でさえ、同期信号のための十分な（adequate）パフォーマンスの品質を保証する少なくとも最低限の電力で同期信号を送信し得る場合、ＢＳは、多重化すると決定し得る。
【００８１】
[0092]  ある特定の態様では、ＢＳおよび／またはＢＳによってサービスされる（1つまたは複数の）ＵＥが、多重化されたページング信号および同期信号のビームフォーミングパフォーマンスに悪影響を及ぼし得る制限されたビームフォーミング能力を有していない場合、ＢＳは、ページング信号と同期信号とを多重化すると決定し得る。例えば、対象とする送信ビーム上でＢＳがページング信号と同期信号とを送信することができ、かつ対象とする受信ビーム上でＢＳによってサービスされる少なくとも１つのＵＥがページング信号と同期信号とを受信することができる場合、ＢＳは、ページング信号と同期信号とを多重化すると決定し得る。
【００８２】
[0093]  図１１は、本開示のある特定の態様に従った、受信した多重化されたページング信号と同期信号とのためにＵＥによって１１００行われる、例となる動作を図示する。動作１１００は、１１０２において、ページング信号と同期信号とが基地局（ＢＳ）で多重化されるか否かを決定する際に使用するために、ＵＥの少なくとも１つの能力を送信することによって開始する。動作１１０４において、ＵＥは、ＵＥの少なくとも１つの能力に基づいて、ＵＥで受信した多重化されたページング信号および同期信号を処理する。
【００８３】
[0094]  上述されるように、ＵＥの能力は、ＵＥによってサポートされる帯域幅（例えば、最低限の帯域幅）、またはＵＥにおいて利用可能なアンテナポートの数とＵＥにおいて利用可能なアンテナ要素サブアレイの数とを含むＵＥのビームフォーミング能力を含み得る。
【００８４】
[0095]  ある特定の態様では、ＢＳは、ＵＥの能力に関する情報を報告するＵＥにリクエストを送信し得る。一態様では、ＢＳは、物理ダウンリンク制御チャネル（ＰＤＣＣＨ）、無線リソース制御（ＲＲＣ）シグナリング、マスタ情報ブロック（ＭＩＢ）、スケジューリング情報、システム情報、または同期信号のうちの少なくとも１つを介して、リクエストを送信し得る。
【００８５】
[0096]  ある特定の態様では、ＵＥは、物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、ＵＥの少なくとも１つの能力に関する情報を送信し得る。一態様では、ＵＥは、情報を報告するために、ＢＳからのリクエストを受信することに応答して、それの能力に関する情報を送信し得る。
【００８６】
[0097]  ある特定の態様では、ＢＳは、動作周波数帯域に基づいて、ページング信号と同期信号とを多重化するか否かを決定し得る。例えば、ＢＳは、第１の周波数帯域中では多重化すると決定し得、第２の周波数帯域中では多重化しないと決定し得る。一態様では、特定の周波数帯域中でページング信号と同期信号とを多重化するか否かに関する決定は、当該周波数帯域中で動作するＢＳおよび少なくとも１つのＵＥの能力に基づき得る。例えば、ＢＳは、ページング信号と同期信号とのＦＤＭのために（例えば、６ＧＨｚよりも高い）周波数帯域Ａ中では十分な帯域幅をサポートし得る。よって、ＢＳは、周波数帯域Ａ中ではページング信号と同期信号とをＦＤＭすると決定し得る。しかしながら、ＢＳは、周波数帯域Ｂ（サブ６ＧＨｚ）ではＦＤＭを可能にするための十分な帯域幅をサポートし得ない。よって、ＢＳは、周波数帯域Ｂ中ではＦＤＭしないと決定し得る。
【００８７】
[0098]  一態様では、動作周波数帯域に基づいてページング信号と同期信号とを多重化するか否かを決定することは、時間領域、周波数領域、またはそれらの組み合わせ、のうちの少なくとも１つにおいて、ページング許可および同期信号のためのサーチスペースをオーバーラップさせるか否かを決定することを含む。一態様では、ページング許可のためのサーチスペースは、ページング許可のためのデフォルトのサーチスペースに対応する。一態様では、システム情報を介してページング許可のためのサーチスペースを用いてＵＥが構成されてない場合、ＵＥは、ページング許可のためのデフォルトのサーチスペースをモニタする。
【００８８】
[0099]  ある特定の態様では、ＢＳは、ＳＳバーストの全てまたは１つのサブセット中でページング信号と同期信号とを多重化（例えば、ＦＤＭ）すると決定し得る。さらに、ＢＳは、ＳＳバースト内のＳＳブロックの全てまたは１つのサブセット中でページング信号と同期信号とを多重化すると決定し得る。例えば、ＢＳは、ある特定のＳＳバーストおよび／またはＳＳブロック中では同期信号のパフォーマンスに関して妥協することを欲せず（may not want to compromise）、それらのＳＳバーストおよび／またはＳＳブロック中で同期信号をページング信号と多重化しないと決定し得ない。一態様では、ページング機会は、どのＳＳバーストおよび／またはＳＳブロック中にもスケジューリングされ得ない。よって、ＢＳは、ページング機会を含まないそれらのＳＳバーストおよび／またはＳＳブロック中で同期信号をページング信号と多重化する必要がない。一態様では、ある特定のＳＳバーストおよび／またはＳＳブロックは、前のＳＳバーストおよび／またはＳＳブロックの繰り返しであり得る。ＢＳは、繰り返されるＳＳバーストおよび／またはＳＳブロック中でのみページング信号および同期を多重化すると決定し得る。
【００８９】
[0100]  ある特定の態様では、ページング信号と同期信号との多重化（例えば、ＦＤＭ）は、周波数リソースの第１のセットをページング信号に、周波数リソースの第２のセットを同期信号に割り振ることを含み得、ここで、周波数リソースの第１のセットと第２のセットとは、オーバーラップしない。
【００９０】
[0101]  ある特定の態様では、ページング信号と同期信号との多重化（例えば、ＦＤＭ）は、周波数リソースの第１のセットをページング信号に、周波数リソースの第２のセットを同期信号に割り振ることを含み得、ここで、周波数リソースの第１および第２のセットは、少なくとも部分的にオーバーラップする。一態様では、ページング信号の送信は、同期信号の周辺で（around）レートマッチングされる。
【００９１】
[0102]  図１２は、本開示のある特定の態様に従った、ページング信号と同期信号とのＦＤＭを図示する。１２ａは、ページング信号とのＳＳブロックのＦＤＭを示し、ここで、ページング信号に割り当てられた周波数リソースは、ＳＳブロックに割り当てられた周波数リソースとオーバーラップしていない。１２ｂもまた、ページング信号とのＳＳブロックのＦＤＭを示すが、ページング信号に割り当てられた周波数リソースの一部が、ＳＳブロックに割り当てられた周波数リソースとオーバーラップしている。例えば、１２ｂに示されるように、ページング信号のある特定の部分は、ＳＳブロックと同じ周波数を占有するが、それは、そのＳＳブロックにそれらの周波数が割り振られていない時間期間である。例えば、１２ｂに示されるように、ページング信号は、ＳＳブロックに割り振られたある特定の周波数を、それらの周波数がＳＳブロック中のＳＳＳおよびＰＳＳに割り振られていない時間期間に割り振られる。
【００９２】
[0103]  本開示の一部で前に言及したように、ページング情報は、セルの全ての方向にビームスイーピングされることが必要である。同期信号も同様にビームスイーピングされることが必要である。同期信号とページングとの周波数分割多重化は、ビームスイーピングの総数を減少させるため、結果として生じるオーバーヘッドを減少させる。このオーバーヘッドの減少は、アナログビームフォーミング制約のために、ｇＮＢが、周波数領域中に通常のＤＬデータおよびページング／同期信号を多重化することができ得ない、６ＧＨｚを上回るネットワーク中で特に重要である。
【００９３】
[0104]  しかしながら、ページング信号と同期信号との周波数分割多重化のいくつかの潜在的な欠点が存在する。
【００９４】
[0105]  最新の規約に基づいて、サブ６ＧＨｚ中のＰＢＣＨの帯域幅は、４．３２ＭＨｚであり得る。いくつかの事業者についてのキャリア帯域幅は、５ＭＨｚである。ページングが同期信号とＦＤＭされた場合、これら事業者のＵＥは、ページング信号と同期信号とを同時に受信することができない可能性がある。
【００９５】
[0106]  ミリ波（ＭＭＷ）バンドでは、データおよび同期信号の周波数分割多重化は、ｇＮＢにおけるアナログビームフォーミング制約のために、実現できない可能性がある。ＦＤＭを避けることによって、パスロスが高いＭＭＷ帯域では非常に有益であり得る、ＰＡＰＲの利点がＰＳＳ信号に提供され得る。
【００９６】
[0107]  ページングおよび同期信号の時分割多重化は、ページング機会の少し前にＵＥがウェイクアップし、ＳＳＳとＰＢＣＨのＤＭＲＳとに基づいてトレーニングすることを可能にする。これは、リンクバジェットを満たすためにビームフォーミング方式でページング信号を受信することが必要な場合、ＵＥ全体のウェイクアップ時間を減少させ得る。
【００９７】
[0108]  ページング信号と同期信号とのトーン間隔（tone spacing）は異なり得る。ページング信号と同期信号との周波数分割多重化は、異なるトーン間隔でＵＥが信号を同時に処理することを強制するだろう。
【００９８】
[0109]  よって、上記の欠点のために、ある特定の態様では、同期信号とページング信号との周波数分割多重化は、最低限の帯域幅が狭いＵＥに、影響を及ぼし得る。同期信号とページング信号との周波数分割多重化は、ｇＮＢが、同期信号のリンクバジェットを満たすために、電力ブーストを行うこと、およびＰＡＰＲの利益を得ること、を妨げ得る。ページング信号と同期信号との時分割多重化は、ページング信号を受信する少し前にＵＥがウェイクアップすることを可能にし、ＳＹＮＣ受信中にそれのＲＸビームをトレーニングし、ページング信号を受信するのに最良のＲＸビームを発見する。ページング信号と同期信号のトーン間隔は異なり得、ページング信号と同期信号との周波数分割多重化は、異なるトーン間隔でＵＥが信号を同時に処理することを強制するだろう。
【００９９】
[0110]  これら長所と短所に基づいて、ＮＲは、６ＧＨｚより高い周波数帯域のみにページング信号と同期信号との周波数分割多重化を制限するべきである。加えて、６ＧＨｚより高い帯域であっても、ＵＥのページング機会は、ＵＥがＳＳＳ帯域外の信号を受信するための能力を有する場合、並びにページング信号と同期信号が同じトーン間隔（例えば、１２０ｋＨｚ）で送信される場合にのみ、ＳＳブロックと周波数分割多重化されるべきである。
【０１００】
[0111]  ある特定の態様では、６ＧＨｚよりも高い場合、ｇＮＢは、以下に基づいてページング信号と同期信号との周波数分割多重化を構成し得る：（１）ＵＥ能力；すなわち、ＵＥがＳＳブロック外の帯域幅中で信号を受信することができる場合：（２）選択されたトーン間隔；すなわち、ページング信号と同期信号とが同じトーン間隔で送信される。その他に、ページングおよび同期の周波数分割多重化は、ＵＥの少なくとも１つがＳＳブロックの帯域幅外で信号を受信することができる場合、並びにページング信号と同期信号が同じトーン間隔（またはサブキャリア間隔）で送信される場合にのみ、可能にされる。
【０１０１】
[0112]  ある特定の態様では、ＢＳは、トーン間隔の組み合わせに基づいて、ページング信号と同期信号とを多重化するか否かを決定し得る。例えば、ＢＳは、ページング許可と同期信号とのトーン間隔が同じである場合、時間領域でページング許可と同期信号とをオーバーラップさせることによって、ページング許可と同期信号とを周波数分割多重化すると決定し得る。一態様では、ＢＳは、ページング許可と同期信号とのトーン間隔が異なる場合、時間領域中でページング許可と同期信号とをオーバーラップさせないと決定し得る。一態様では、時間領域中のオーバーラップは、同じ時間リソースであるが、異なる周波数リソース（例えば、異なる周波数）を割り当てることを含む。時間領域中でオーバーラップしないことは、異なる時間リソースを割り当てるが、同じ周波数リソースを割り当てることを含む。一態様では、ページング許可は、デフォルトのサーチスペースを通じて送信されるページング許可に対応する。
【０１０２】
[0113]  本明細書に開示されている方法は、説明された方法を達成するための１つまたは複数のステップまたはアクションを備える。方法のステップおよび／または動作は、特許請求の範囲から逸脱することなく、互いに置き換えられ得る。言い換えると、ステップまたはアクションの特定の順序が指定されない限り、特定のステップおよび／またはアクションの順序および／または使用は、本願の特許請求の範囲から逸脱することなく修正され得る。
【０１０３】
[0114]  本明細書で使用されるとき、項目のリスト「のうちの少なくとも１つ」を示すフレーズは、単一の要素を含む、それらの項目の任意の組み合わせを指す。例として、「ａ、ｂ、またはｃのうちの少なくとも１つ」は、ａ、ｂ、ｃ、ａ−ｂ、ａ−ｃ、ｂ−ｃ、およびａ−ｂ−ｃと、並びに同じ要素の繰り返しとの任意の組み合わせ（例えば、ａ−ａ、ａ−ａ−ａ、ａ−ａ−ｂ、ａ−ａ−ｃ、ａ−ｂ−ｂ、ａ−ｃ−ｃ、ｂ−ｂ、ｂ−ｂ−ｂ、ｂ−ｂ−ｃ、ｃ−ｃ、およびｃ−ｃ−ｃ、またはａ、ｂ、およびｃの他の任意の順序）をカバーすることを意図する。
【０１０４】
[0115]  本明細書で使用される場合、「決定すること」という用語は、幅広いアクションを含む。例えば、「決定すること」は、算出すること、計算すること、処理すること、導出すること、調査すること、ルックアップすること（例えば、表、データベースまたは別のデータ構造においてルックアップすること）、確認することなどを含み得る。また、「決定すること」は、受信すること（例えば、情報を受信すること）、アクセスすること（例えば、メモリ内のデータにアクセスすること）などを含み得る。また、「決定すること」は、解決すること、選択すること、選ぶこと、確立することなどを含み得る。
【０１０５】
[0116]  以上の説明は、当業者が本明細書で説明した様々な態様を実行できるようにするために提供される。これらの態様に対する様々な変更は当業者には容易に明らかであり、本明細書で定義した一般的原理は他の態様に適用され得る。よって、特許請求の範囲は、本明細書に示された態様に限定されるものではなく、特許請求の範囲の文言に矛盾しない最大限の範囲を与えられるべきであり、単数形の要素への言及は、そのように明記されていない限り、「ただ１つの」を意味するものではなく、「１つまたは複数の」を意味するものである。別段に明記されていない限り、「いくつかの」という用語は「１つまたは複数の」を指す。当業者に知られている、または後に知られることになる、本開示全体にわたって説明した様々な態様の要素の全ての構造的および機能的均等物は、参照により本明細書に明確に組み込まれ、特許請求の範囲に包含されるものである。さらに、本明細書に開示したいかなることも、そのような開示が特許請求の範囲に明示的に記載されているかどうかにかかわらず、公共に献呈されるものではない。請求項のどの要素も、その要素が明確に「〜のための手段」というフレーズを使用して記載されていない限り、または、方法の請求項の場合には、その要素が「〜するためのステップ」というフレーズを使用して記載されていない限り、米国特許法第１１２条６項の規定のもとで解釈されるべきではない。
【０１０６】
[0117]  上述された方法の様々な動作は、対応する機能を実行することが可能な任意の適切な手段によって行われ得る。手段は、回路、特定用途向け集積回路（ＡＳＩＣ）、またはプロセッサを含むがそれらに限定されない、様々なハードウェアおよび／またはソフトウェアコンポーネントおよび／またはモジュールを含み得る。一般に、図に示す動作がある場合、それらの動作は、同様の番号を有する対応するカウンターパートのミーンズプラスファンクション構成要素を有し得る。
【０１０７】
[0118]  例えば、送信するための手段および／または受信するための手段は、送信プロセッサ４２０、ＴＸ ＭＩＭＯプロセッサ４３０、受信プロセッサ４３８、または基地局１１０および／または送信プロセッサ４６４のアンテナ４３４、ＴＸ ＭＩＭＯプロセッサ４６６、受信プロセッサ４５８、またはユーザ機器１２０のアンテナ４５２のうちの１つまたは複数を備え得る。従って、生成するための手段、多重化するための手段、および／または適用するための手段は、基地局１１０のコントローラ／プロセッサ４４０、および／またはユーザ機器１２０のコントローラ／プロセッサ４８０などの１つまたは複数のプロセッサを備え得る。
【０１０８】
[0119]  本開示に関連して説明した様々な例示的な論理ブロック、モジュール、および回路は、汎用プロセッサ、デジタル信号プロセッサ（ＤＳＰ）、特定用途向け集積回路（ＡＳＩＣ）、フィールドプログラマブルゲートアレイ（ＦＰＧＡ）または他のプログラマブル論理デバイス、個別ゲートまたはトランジスタロジック、個別ハードウェア構成要素、あるいは本明細書で説明された機能を行うように設計されたそれらの任意の組み合わせを用いて実装または行われ得る。汎用プロセッサはマイクロプロセッサであり得るが、代替として、プロセッサは、任意の商用に利用可能なプロセッサ、コントローラ、マイクロコントローラ、または状態機械であり得る。プロセッサはまた、コンピューティングデバイスの組み合わせ、例えば、ＤＳＰとマイクロプロセッサとの組み合わせ、複数のマイクロプロセッサ、ＤＳＰコアと連携する１つまたは複数のマイクロプロセッサ、あるいは任意の他のそのような構成としても実装され得る。
【０１０９】
[0120]  ハードウェアで実装される場合、実例となるハードウェア構成は、ワイヤレスノード中の処理システムを備え得る。処理システムは、バスアーキテクチャを用いて実装され得る。バスは、処理システムの特定のアプリケーションおよび全体的な設計の制約に依存して、任意の数の相互接続バスおよびブリッジを含み得る。バスは、プロセッサ、機械可読媒体、およびバスインターフェースを含む様々な回路を共にリンクさせ得る。バスインターフェースは、特に、バスを介して処理システムにネットワークアダプタを接続するために使用されることができる。このネットワークアダプタは、ＰＨＹレイヤの信号処理機能を実現するために使用され得る。ユーザ端末１２０（図１を参照）の場合、ユーザインターフェース（例えば、キーパッド、ディスプレイ、マウス、ジョイスティックなど）もまた、バスに接続され得る。バスはまた、タイミングソース、周辺機器、電圧レギュレータ、電力管理回路などといった様々な他の回路をリンクさせ得るが、これらの回路は、当該技術分野において周知であるため、これ以上説明されない。プロセッサは、１つまたは複数の汎用および／または特殊用途プロセッサで実装され得る。例は、ソフトウェアを実行することができるマイクロプロセッサ、マイクロコントローラ、ＤＳＰプロセッサ、および他の回路を含む。当業者は、システム全体に課された特定のアプリケーションおよび全体的な設計の制約に依存して、処理システムについて説明された機能をどのように実装することが最善かを認識するだろう。
【０１１０】
[0121]  ソフトウェアで実装される場合、これら機能は、コンピュータ可読媒体上で、１つまたは複数の命令またはコードとして送信または記憶され得る。ソフトウェアは、ソフトウェア、ファームウェア、ミドルウェア、マイクロコード、ハードウェア記述言語と呼ばれる場合も、その他の名称で呼ばれる場合も、命令、データ、またはそれらの任意の組み合わせを意味するものとして広く解釈されるべきである。コンピュータ可読媒体は、ある場所から別の場所へのコンピュータプログラムの転送を容易にする任意の媒体を含む、コンピュータ記憶媒体とコンピュータ通信媒体の両方を含む。プロセッサは、バスの管理と、機械可読記憶媒体に記憶されたソフトウェアモジュールの実行を含む汎用処理とを担い得る。コンピュータ可読記憶媒体は、プロセッサが記憶媒体から情報を読み取り、記憶媒体に情報を書き込むことができるように、プロセッサに結合され得る。代替として、記憶媒体はプロセッサに一体化され得る。例として、機械可読媒体は、伝送線、データによって変調された搬送波、および／またはワイヤレスノードとは別個の命令を記憶したコンピュータ可読記憶媒体を含み得るが、それらは全てバスインターフェースを介してプロセッサによりアクセスされ得る。代替的にまたは加えて、機械可読媒体、またはそのうちの任意の部分は、キャッシュおよび／または汎用レジスタファイルが用いられ得るようなケースに、プロセッサに組み込まれ得る。機械可読媒体の例は、例として、ＲＡＭ（ランダムアクセスメモリ）、フラッシュメモリ、ＲＯＭ（読み取り専用メモリ）、ＰＲＯＭ（プログラマブル読み取り専用メモリ）、ＥＰＲＯＭ（消去可能なプログラマブル読み取り専用メモリ）、ＥＥＰＲＯＭ（登録商標）（電気的に消去可能なプログラマブル読み取り専用メモリ）、レジスタ、磁気ディスク、光ディスク、ハードドライブ、または任意の他の適切な記憶媒体、またはそれらの任意の組み合わせを含み得る。機械可読媒体は、コンピュータプログラム製品に組み込まれ得る。
【０１１１】
[0122]  ソフトウェアモジュールは、単一の命令または多数の命令を備えることがあり得、いくつかの異なるコードセグメントにわたって、異なるプログラム間で、および複数の記憶媒体にわたって、分散され得る。コンピュータ可読媒体は、いくつかのソフトウェアモジュールを備え得る。ソフトウェアモジュールは、プロセッサなどの装置によって実行されるとき、様々な機能を処理システムに行わせる命令を含む。ソフトウェアモジュールは、送信モジュールと受信モジュールとを含み得る。各ソフトウェアモジュールは、単一の記憶デバイスに存在するか、または複数の記憶デバイスにわたって分散し得る。例として、ソフトウェアモジュールは、トリガイベントが生じたとき、ハードドライブからＲＡＭにロードされ得る。ソフトウェアモジュールの実行中、プロセッサは、アクセススピードを上げるために、命令のうちのいくつかをキャッシュにロードし得る。１つまたは複数のキャッシュラインは次いで、プロセッサによる実行のために、汎用レジスタファイルにロードされ得る。以下でソフトウェアモジュールの機能に言及するとき、そのような機能は、ソフトウェアモジュールからの命令を実行するときにプロセッサで実装されることが理解されるだろう。
【０１１２】
[0123]  また、任意の接続は、厳密にはコンピュータ可読媒体と呼ばれ得る。例えば、ソフトウェアが、同軸ケーブル、光ファイバーケーブル、ツイストペア、デジタル加入者回線（ＤＳＬ）、または赤外線（ＩＲ）、無線、およびマイクロ波などのワイヤレス技術を使用して、ウェブサイト、サーバ、または他のリモートソースから送信される場合、同軸ケーブル、光ファイバーケーブル、ツイストペア、ＤＳＬ、または赤外線、無線、およびマイクロ波などのワイヤレス技術は、媒体の定義に含まれる。本明細書で使用される場合、ディスク（disk）およびディスク（disc）は、コンパクトディスク（ＣＤ）、レーザーディスク（登録商標）、光ディスク、デジタル多用途ディスク（ＤＶＤ）、フロッピー（登録商標）ディスク（登録商標）、およびＢｌｕ−ｒａｙ（登録商標）ディスクを含み、ディスク（disk）は、通常、データを磁気的に再生し、ディスク（disc）は、データをレーザで光学的に再生する。よって、いくつかの態様では、コンピュータ可読媒体は、非一時的なコンピュータ可読媒体（例えば、有体媒体）を備え得る。さらに、他の態様では、コンピュータ可読媒体は、一時的なコンピュータ可読媒体（例えば、信号）を備え得る。上記の組み合わせもまた、コンピュータ可読媒体の範囲内に含めるべきである。
【０１１３】
[0124]  このように、ある特定の態様は、本明細書において提示された動作を行うためのコンピュータプログラム製品を備え得る。例えば、このようなコンピュータプログラム製品は、記憶された（および／または符号化された）命令を有するコンピュータ可読媒体を備え得、その命令は、本明細書で説明された動作を行うために１つまたは複数のプロセッサによって実行可能である。
【０１１４】
[0125]  さらに、本明細書に説明される方法および技法を行うためのモジュールおよび／または他の適切な手段が、ダウンロードされることができること、および／または、そうでなければ、適用可能な場合にはユーザ端末および／または基地局によって得られることが理解されるべきである。例えば、このようなデバイスは、本明細書で説明される方法を行うための手段の転送を容易にするためにサーバに結合され得る。代替として、本明細書で説明される様々な方法は、ユーザ端末および／または基地局が、デバイスに記憶手段を結合または提供する際に様々な方法を取得することができるように、記憶手段（例えば、ＲＡＭ、ＲＯＭ、コンパクトディスク（ＣＤ）またはフロッピーディスクなどの物理記憶媒体など）を介して提供され得る。さらに、本明細書で説明される方法および技法をデバイスに提供するために、任意の他の適切な技法が利用され得る。
【０１１５】
[0126]  特許請求の範囲は、上述されたとおりの構成および構成要素に限定されないことが理解されるべきである。本願の特許請求の範囲から逸脱することなく、様々な変更、交換、および変形が、上述された方法および装置の配置、動作、および細部に対して行われ得る。
以下に本願発明の当初の特許請求の範囲に記載された発明を付記する。
［Ｃ１］
基地局（ＢＳ）によるワイヤレス通信のための方法であって、
時間リソースのセット、周波数リソースのセット、またはそれらの組み合わせに、ページング信号と同期信号とを多重化するか否かを決定することと、前記決定することは、前記ＢＳの能力、前記ＢＳによってサービスされる少なくとも１つのユーザ機器（ＵＥ）の能力、動作周波数帯域、または前記ページング信号および前記同期信号のトーン間隔の組み合わせ、のうちの少なくとも１つに基づく、
前記決定に基づいて前記ページング信号と前記同期信号とを多重化することと、
を備える、方法。
［Ｃ２］
前記ページング信号は、ページングメッセージをスケジューリングするページング許可を含む、Ｃ１に記載の方法。
［Ｃ３］
前記ページング許可は、物理ダウンリンク制御チャネル（ＰＤＣＣＨ）を介して搬送され、前記ページングメッセージは、物理ダウンリンク共有チャネル（ＰＤＳＣＨ）を介して搬送される、Ｃ２に記載の方法。
［Ｃ４］
前記多重化することは、前記ページングメッセージと前記同期信号とを周波数分割多重化することを備え、前記ページングメッセージと前記同期信号とは、同じ時間リソースであるが異なる周波数リソースに割り当てられる、Ｃ３に記載の方法。
［Ｃ５］
前記多重化することは、前記ページング許可と前記同期信号とを時分割多重化することを備え、前記ページング許可と前記同期信号とは、異なる時間リソースに割り当てられる、Ｃ４に記載の方法。
［Ｃ６］
トーン間隔の組み合わせに基づいて多重化するか否かを決定することは、前記ページング許可と前記同期信号との前記トーン間隔が同じである場合、前記時間領域で前記ページング許可と前記同期信号とをオーバーラップさせることによって、前記ページング許可と前記同期信号とを周波数分割多重化すると決定することを含む、Ｃ３に記載の方法。
［Ｃ７］
トーン間隔の組み合わせに基づいて多重化するか否かを決定することは、前記ページング許可と前記同期信号との前記トーン間隔が異なる場合、前記時間領域中で前記ページング許可と前記同期信号とをオーバーラップさせないと決定することを含む、Ｃ６に記載の方法。
［Ｃ８］
前記ページング許可は、デフォルトのサーチスペースを通じて送信されるページング許可に対応する、Ｃ６に記載の方法。
［Ｃ９］
動作周波数帯域に基づいて多重化するか否かを決定することは、時間領域、周波数領域、またはそれらの組み合わせ、のうちの少なくとも１つに、前記ページング許可および前記同期信号のためのサーチスペースをオーバーラップさせるか否かを決定することを含む、Ｃ３に記載の方法。
［Ｃ１０］
前記ページング許可のための前記サーチスペースは、前記ページング許可のためのデフォルトのサーチスペースに対応する、Ｃ９に記載の方法。
［Ｃ１１］
前記少なくとも１つのＵＥは、システム情報を介して前記ページング許可のためのサーチスペースで前記ＵＥが構成されていない場合、前記ページング許可のための前記デフォルトのサーチスペースをモニタする、Ｃ１０に記載の方法。
［Ｃ１２］
前記多重化することは、前記ページング信号と前記同期信号とを周波数分割多重化（ＦＤＭ）することを含む、Ｃ１に記載の方法。
［Ｃ１３］
前記決定することは、前記ＦＤＭに必要とされる最低限の帯域幅上の通信を前記ＢＳと前記少なくとも１つのＵＥとの両方が少なくともサポートしている場合、前記ページング信号と前記同期信号とをＦＤＭすると決定することを備える、Ｃ１２に記載の方法。
［Ｃ１４］
前記決定することは、同期信号バースト（ＳＳバースト）のサブセット中に、前記ページング信号と前記同期信号とをＦＤＭすると決定することを備える、Ｃ１２に記載の方法。
［Ｃ１５］
前記決定することは、同期信号ブロック（ＳＳブロック）のサブセット中に、前記ページング信号と前記同期信号とをＦＤＭすると決定することを備える、Ｃ１２に記載の方法。
［Ｃ１６］
前記決定することは、前記ＢＳが少なくとも最低限の品質で前記同期信号を送信することができる場合、前記ページング信号と前記同期信号とを多重化すると決定することを備える、Ｃ１に記載の方法。
［Ｃ１７］
少なくとも最低限の品質で前記同期信号を送信することは、少なくとも最低限の電力で前記同期信号を送信することを含む、Ｃ１６に記載の方法。
［Ｃ１８］
前記決定することは、対象とする送信ビーム上で前記ＢＳが前記ページング信号と前記同期信号とを送信することができ、かつ対象とする受信ビーム上で前記少なくとも１つのＵＥが前記ページング信号と前記同期信号とを受信することができる場合、前記ページング信号と前記同期信号とを多重化すると決定することを備える、Ｃ１に記載の方法。
［Ｃ１９］
物理ダウンリンク制御チャネル（ＰＤＣＣＨ）、無線リソース制御（ＲＲＣ）シグナリング、マスタ情報ブロック（ＭＩＢ）、スケジューリング情報、システム情報、または同期信号のうちの少なくとも１つを介して、前記少なくとも１つのＵＥの前記能力に関する情報を報告するために、前記少なくとも１つのＵＥにリクエストを送信すること、
をさらに備える、Ｃ１に記載の方法。
［Ｃ２０］
物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記少なくとも１つのＵＥの前記能力に関する情報を受信すること、
をさらに備える、Ｃ１に記載の方法。
［Ｃ２１］
動作周波数帯域に基づいて多重化するか否かを前記決定することは、第１の周波数帯域に前記ページング信号と前記同期信号とを周波数分割多重化すると決定することと、第２の周波数帯域に前記ページング信号と前記同期信号とを多重化しないと決定することとを備える、Ｃ１に記載の方法。
［Ｃ２２］
動作周波数帯域に基づいて多重化するか否かを前記決定することは、前記周波数帯域で動作する前記少なくとも１つのＵＥの前記能力または前記ＢＳの能力のうちの少なくとも１つに基づく、Ｃ２１に記載の方法。
［Ｃ２３］
第１の周波数帯域は、６ＧＨｚよりも高く、前記第２の周波数帯域は、サブ６ＧＨｚ帯域である、Ｃ２１に記載の方法。
［Ｃ２４］
前記多重化することは、周波数リソースの第１のセットを前記ページング信号に、周波数リソースの第２のセットを前記同期信号に割り振ることを備え、前記第１のセットと前記第２のセットとは、オーバーラップしない、Ｃ１に記載の方法。
［Ｃ２５］
前記多重化することは、周波数リソースの第１のセットを前記ページング信号に、周波数リソースの第２のセットを前記同期信号に割り振ることを備え、前記第１のセットと前記第２のセットとは、少なくとも部分的にオーバーラップする、Ｃ１に記載の方法。
［Ｃ２６］
前記ページング信号の送信は、前記同期信号の周辺でレートマッチングされる、Ｃ２５に記載の方法。
［Ｃ２７］
前記同期信号は、物理ブロードキャストチャネル（ＰＢＣＨ）、プライマリ同期信号（ＰＳＳ）、およびセカンダリ同期信号（ＳＳＳ）を有する同期信号ブロックを含む、Ｃ１に記載の方法。
［Ｃ２８］
ユーザ機器（ＵＥ）によるワイヤレス通信の方法であって、
ページング信号と同期信号とが基地局（ＢＳ）で多重化されるか否かを決定する際に使用するために、ＵＥの少なくとも１つの能力を送信することと、
前記ＵＥの前記少なくとも１つの能力に基づいて、前記ＵＥで受信した多重化されたページング信号と同期信号とを処理することと、
を備える、方法。
［Ｃ２９］
前記ＵＥの前記少なくとも１つの能力を報告するためのリクエストを受信することをさらに備え、前記送信することは、前記リクエストに応答する、Ｃ１７に記載の方法。
［Ｃ３０］
前記リクエストを受信することは、物理ダウンリンク制御チャネル（ＰＤＣＣＨ）、無線リソース制御（ＲＲＣ）シグナリング、マスタ情報ブロック（ＭＩＢ）、スケジューリング情報、システム情報、または同期信号のうちの少なくとも１つを介して、前記ＢＳから前記リクエストを受信することを備える、Ｃ１８に記載の方法。
［Ｃ３１］
前記送信することは、物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記ＵＥの前記少なくとも１つの能力を送信することを備える、Ｃ１７に記載の方法。
［Ｃ３２］
前記少なくとも１つの能力は、前記ＵＥによってサポートされる最低限の帯域幅、前記ＵＥで利用可能なアンテナポートの数、または前記ＵＥで利用可能なアンテナ要素サブアレイの数、のうちの少なくとも１つを含む、Ｃ１７に記載の方法。
［Ｃ３３］
前記処理することは、時間リソースのセット、周波数リソースのセット、またはそれらの組み合わせにおいて受信された、前記ページング信号と前記同期信号とを処理することを含む、Ｃ１７に記載の方法。
［Ｃ３４］
基地局（ＢＳ）によるワイヤレス通信のための装置であって、
時間リソースのセット、周波数リソースのセット、またはそれらの組み合わせに、ページング信号と同期信号とを多重化するか否かを決定するための手段と、前記決定することは、前記ＢＳの能力、前記ＢＳによってサービスされる少なくとも１つのユーザ機器（ＵＥ）の能力、動作周波数帯域、または前記ページング信号および前記同期信号のトーン間隔の組み合わせ、のうちの少なくとも１つに基づく、
前記決定に基づいて前記ページング信号と前記同期信号とを多重化するための手段と、
を備える、装置。
［Ｃ３５］
前記ページング信号は、ページングメッセージをスケジューリングするページング許可を含む、Ｃ３４に記載の装置。
［Ｃ３６］
前記ページング許可は、物理ダウンリンク制御チャネル（ＰＤＣＣＨ）を介して搬送され、前記ページングメッセージは、物理ダウンリンク共有チャネル（ＰＤＳＣＨ）を介して搬送される、Ｃ３５に記載の装置。
［Ｃ３７］
前記多重化するための手段は、前記ページングメッセージと前記同期信号とを周波数分割多重化し、前記ページングメッセージと前記同期信号とは、同じ時間リソースであるが異なる周波数リソースに割り当てられる、Ｃ３６に記載の装置。
［Ｃ３８］
前記多重化するための手段は、前記ページング許可と前記同期信号とを時分割多重化し、前記ページング許可と前記同期信号とは、異なる時間リソースであるが同じ周波数リソースに割り当てられる、Ｃ３７に記載の装置。
［Ｃ３９］
トーン間隔の組み合わせに基づいて多重化するか否かを決定することは、前記ページング許可と前記同期信号との前記トーン間隔が同じである場合、前記時間領域で前記ページング許可と前記同期信号とをオーバーラップさせることによって、前記ページング許可と前記同期信号とを周波数分割多重化すると決定することを含む、Ｃ３６に記載の装置。
［Ｃ４０］
トーン間隔の組み合わせに基づいて多重化するか否かを決定することは、前記ページング許可と前記同期信号との前記トーン間隔が異なる場合、前記時間領域中で前記ページング許可と前記同期信号とをオーバーラップさせないと決定することを含む、Ｃ３９に記載の装置。
［Ｃ４１］
前記ページング許可は、デフォルトのサーチスペースを通じて送信されるページング許可に対応する、Ｃ３９に記載の装置。
［Ｃ４２］
動作周波数帯域に基づいて多重化するか否かを決定することは、時間領域、周波数領域、またはそれらの組み合わせ、のうちの少なくとも１つに、前記ページング許可および前記同期信号のためのサーチスペースをオーバーラップさせるか否かを決定することを含む、Ｃ３６に記載の装置。
［Ｃ４３］
前記ページング許可のための前記サーチスペースは、前記ページング許可のためのデフォルトのサーチスペースに対応する、Ｃ４２に記載の装置。
［Ｃ４４］
前記少なくとも１つのＵＥは、システム情報を介して前記ページング許可のためのサーチスペースで前記ＵＥが構成されていない場合、前記ページング許可のための前記デフォルトのサーチスペースをモニタする、Ｃ４３に記載の装置。
［Ｃ４５］
前記多重化するための手段は、前記ページング信号と前記同期信号とを周波数分割多重化（ＦＤＭ）するように構成される、Ｃ３４に記載の装置。
［Ｃ４６］
前記決定するための手段は、前記ＦＤＭに必要とされる最低限の帯域幅上の通信を前記ＢＳと前記少なくとも１つのＵＥとの両方が少なくともサポートしている場合、前記ページング信号と前記同期信号とをＦＤＭすると決定するように構成される、Ｃ４５に記載の装置。
［Ｃ４７］
前記決定するための手段は、同期信号バースト（ＳＳバースト）のサブセット中に、前記ページング信号と前記同期信号とをＦＤＭすると決定するように構成される、Ｃ４５に記載の装置。
［Ｃ４８］
前記決定するための手段は、同期信号ブロック（ＳＳブロック）のサブセット中に、前記ページング信号と前記同期信号とをＦＤＭすると決定するように構成される、Ｃ４５に記載の装置。
［Ｃ４９］
前記決定するための手段は、前記ＢＳが少なくとも最低限の品質で前記同期信号を送信することができる場合、前記ページング信号と前記同期信号とを多重化すると決定するように構成される、Ｃ３４に記載の装置。
［Ｃ５０］
少なくとも最低限の品質で前記同期信号を送信することは、少なくとも最低限の電力で前記同期信号を送信することを含む、Ｃ４９に記載の装置。
［Ｃ５１］
前記決定するための手段は、対象とする送信ビーム上で前記ＢＳが前記ページング信号と前記同期信号とを送信することができ、かつ対象とする受信ビーム上で前記少なくとも１つのＵＥが前記ページング信号と前記同期信号とを受信することができる場合、前記ページング信号と前記同期信号とを多重化すると決定するように構成される、Ｃ３４に記載の装置。
［Ｃ５２］
物理ダウンリンク制御チャネル（ＰＤＣＣＨ）、無線リソース制御（ＲＲＣ）シグナリング、マスタ情報ブロック（ＭＩＢ）、スケジューリング情報、システム情報、または同期信号のうちの少なくとも１つを介して、前記少なくとも１つのＵＥの前記能力に関する情報を報告するために、前記少なくとも１つのＵＥにリクエストを送信するための手段、
をさらに備える、Ｃ３４に記載の装置。
［Ｃ５３］
物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記少なくとも１つのＵＥの前記能力に関する情報を受信するための手段、
をさらに備える、Ｃ３４に記載の装置。
［Ｃ５４］
動作周波数帯域に基づいて多重化するか否かを前記決定するための手段は、第１の周波数帯域に前記ページング信号と前記同期信号とを周波数分割多重化すると決定し、第２の周波数帯域に前記ページング信号と前記同期信号とを多重化しないと決定するように構成される、Ｃ３４に記載の装置。
［Ｃ５５］
動作周波数帯域に基づいて多重化するか否かを前記決定することは、前記周波数帯域で動作する前記少なくとも１つのＵＥの前記能力または前記ＢＳの能力のうちの少なくとも１つに基づく、Ｃ５４に記載の装置。
［Ｃ５６］
前記第１の周波数帯域は、６ＧＨｚよりも高く、前記第２の周波数帯域は、サブ６ＧＨｚ帯域である、Ｃ５４に記載の装置。
［Ｃ５７］
前記多重化するための手段は、周波数リソースの第１のセットを前記ページング信号に、周波数リソースの第２のセットを前記同期信号に割り振るように構成され、前記第１のセットと前記第２のセットとは、オーバーラップしない、Ｃ３４に記載の装置。
［Ｃ５８］
前記多重化するための手段は、周波数リソースの第１のセットを前記ページング信号に、周波数リソースの第２のセットを前記同期信号に割り振るように構成され、前記第１のセットと前記第２のセットとは、少なくとも部分的にオーバーラップする、Ｃ３４に記載の装置。
［Ｃ５９］
前記ページング信号の送信は、前記同期信号の周辺でレートマッチングされる、Ｃ５８に記載の装置。
［Ｃ６０］
前記同期信号は、物理ブロードキャストチャネル（ＰＢＣＨ）、プライマリ同期信号（ＰＳＳ）、およびセカンダリ同期信号（ＳＳＳ）を有する同期信号ブロックを含む、Ｃ３４に記載の装置。
［Ｃ６１］
ユーザ機器（ＵＥ）によるワイヤレス通信のための装置であって、
ページング信号と同期信号とが基地局（ＢＳ）で多重化されるか否かを決定する際に使用するために、ＵＥの少なくとも１つの能力を送信するための手段と、
前記ＵＥの前記少なくとも１つの能力に基づいて、前記ＵＥで受信した多重化されたページング信号と同期信号とを処理するための手段と、
を備える、装置。
［Ｃ６２］
前記ＵＥの前記少なくとも１つの能力を報告するためのリクエストを受信するための手段をさらに備え、前記送信することは、前記リクエストに応答する、Ｃ６１に記載の装置。
［Ｃ６３］
前記リクエストを前記受信するための手段は、物理ダウンリンク制御チャネル（ＰＤＣＣＨ）、無線リソース制御（ＲＲＣ）シグナリング、マスタ情報ブロック（ＭＩＢ）、スケジューリング情報、システム情報、または同期信号のうちの少なくとも１つを介して、前記ＢＳから前記リクエストを受信するように構成される、Ｃ６２に記載の装置。
［Ｃ６４］
前記送信するための手段は、物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記ＵＥの前記少なくとも１つの能力を送信するように構成される、Ｃ６１に記載の装置。
［Ｃ６５］
前記少なくとも１つの能力は、前記ＵＥによってサポートされる最低限の帯域幅、前記ＵＥで利用可能なアンテナポートの数、または前記ＵＥで利用可能なアンテナ要素サブアレイの数、のうちの少なくとも１つを含む、Ｃ６１に記載の装置。
［Ｃ６６］
前記処理するための手段は、時間リソースのセット、周波数リソースのセット、またはそれらの組み合わせにおいて受信された、前記ページング信号と前記同期信号とを処理するように構成される、Ｃ６１に記載の装置。
［Ｃ６７］
基地局（ＢＳ）によるワイヤレス通信のための装置であって、
時間リソースのセット、周波数リソースのセット、またはそれらの組み合わせに、ページング信号と同期信号とを多重化するか否かを決定することと、前記決定することは、前記ＢＳの能力、前記ＢＳによってサービスされる少なくとも１つのユーザ機器（ＵＥ）の能力、動作周波数帯域、または前記ページング信号および前記同期信号のトーン間隔の組み合わせ、のうちの少なくとも１つに基づく、
前記決定に基づいて前記ページング信号と前記同期信号とを多重化することと
を行うように構成された少なくとも１つのプロセッサと、
前記少なくとも１つのプロセッサに結合されたメモリと、
を備える、装置。
［Ｃ６８］
前記ページング信号は、ページングメッセージをスケジューリングするページング許可を含む、Ｃ６７に記載の装置。
［Ｃ６９］
前記ページング許可は、物理ダウンリンク制御チャネル（ＰＤＣＣＨ）を介して搬送され、前記ページングメッセージは、物理ダウンリンク共有チャネル（ＰＤＳＣＨ）を介して搬送される、Ｃ６８に記載の装置。
［Ｃ７０］
前記多重化することは、前記ページングメッセージと前記同期信号とを周波数分割多重化することを備え、前記ページングメッセージと前記同期信号とは、同じ時間リソースであるが異なる周波数リソースに割り当てられる、Ｃ６９に記載の装置。
［Ｃ７１］
前記多重化することは、前記ページング許可と前記同期信号とを時分割多重化することを備え、前記ページング許可と前記同期信号とは、異なる時間リソースであるが同じ周波数リソースに割り当てられる、Ｃ７０に記載の装置。
［Ｃ７２］
トーン間隔の組み合わせに基づいて多重化するか否かを決定することは、前記ページング許可と前記同期信号との前記トーン間隔が同じである場合、前記時間領域で前記ページング許可と前記同期信号とをオーバーラップさせることによって、前記ページング許可と前記同期信号とを周波数分割多重化すると決定することを含む、Ｃ６９に記載の装置。
［Ｃ７３］
トーン間隔の組み合わせに基づいて多重化するか否かを決定することは、前記ページング許可と前記同期信号との前記トーン間隔が異なる場合、前記時間領域中で前記ページング許可と前記同期信号とをオーバーラップさせないと決定することを含む、Ｃ７２に記載の装置。
［Ｃ７４］
前記ページング許可は、デフォルトのサーチスペースを通じて送信されるページング許可に対応する、Ｃ７２に記載の装置。
［Ｃ７５］
動作周波数帯域に基づいて多重化するか否かを決定することは、時間領域、周波数領域、またはそれらの組み合わせ、のうちの少なくとも１つに、前記ページング許可および前記同期信号のためのサーチスペースをオーバーラップさせるか否かを決定することを含む、Ｃ６９に記載の装置。
［Ｃ７６］
前記ページング許可のための前記サーチスペースは、前記ページング許可のためのデフォルトのサーチスペースに対応する、Ｃ７５に記載の装置。
［Ｃ７７］
前記少なくとも１つのＵＥは、システム情報を介して前記ページング許可のためのサーチスペースで前記ＵＥが構成されていない場合、前記ページング許可のための前記デフォルトのサーチスペースをモニタする、Ｃ７６に記載の装置。
［Ｃ７８］
前記多重化することは、前記ページング信号と前記同期信号とを周波数分割多重化（ＦＤＭ）することを含む、Ｃ６７に記載の装置。
［Ｃ７９］
前記少なくとも１つのプロセッサは、前記ＦＤＭに必要とされる最低限の帯域幅上の通信を前記ＢＳと前記少なくとも１つのＵＥとの両方が少なくともサポートしている場合、前記ページング信号と前記同期信号とをＦＤＭすると決定するように構成される、Ｃ７８に記載の装置。
［Ｃ８０］
前記少なくとも１つのプロセッサは、同期信号バースト（ＳＳバースト）のサブセット中に、前記ページング信号と前記同期信号とをＦＤＭすると決定するように構成される、Ｃ７８に記載の装置。
［Ｃ８１］
前記少なくとも１つのプロセッサは、同期信号ブロック（ＳＳブロック）のサブセット中に、前記ページング信号と前記同期信号とをＦＤＭすると決定するように構成される、Ｃ７８に記載の装置。
［Ｃ８２］
前記少なくとも１つのプロセッサは、前記ＢＳが少なくとも最低限の品質で前記同期信号を送信することができる場合、前記ページング信号と前記同期信号とを多重化すると決定するように構成される、Ｃ６７に記載の装置。
［Ｃ８３］
少なくとも最低限の品質で前記同期信号を送信することは、少なくとも最低限の電力で前記同期信号を送信することを含む、Ｃ８２に記載の装置。
［Ｃ８４］
前記少なくとも１つのプロセッサは、対象とする送信ビーム上で前記ＢＳが前記ページング信号と前記同期信号とを送信することができ、かつ対象とする受信ビーム上で前記少なくとも１つのＵＥが前記ページング信号と前記同期信号とを受信することができる場合、前記ページング信号と前記同期信号とを多重化すると決定するように構成される、Ｃ６７に記載の装置。
［Ｃ８５］
前記少なくとも１つのプロセッサは、
物理ダウンリンク制御チャネル（ＰＤＣＣＨ）、無線リソース制御（ＲＲＣ）シグナリング、マスタ情報ブロック（ＭＩＢ）、スケジューリング情報、システム情報、または同期信号のうちの少なくとも１つを介して、前記少なくとも１つのＵＥの前記能力に関する情報を報告するために、前記少なくとも１つのＵＥにリクエストを送信すること、
を行うようにさらに構成される、Ｃ６７に記載の装置。
［Ｃ８６］
前記少なくとも１つのプロセッサは、
物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記少なくとも１つのＵＥの前記能力に関する情報を受信すること、
を行うようにさらに構成される、Ｃ６７に記載の装置。
［Ｃ８７］
前記少なくとも１つのプロセッサは、第１の周波数帯域に前記ページング信号と前記同期信号とを周波数分割多重化すると決定し、第２の周波数帯域に前記ページング信号と前記同期信号とを多重化しないと決定するように構成される、Ｃ６７に記載の装置。
［Ｃ８８］
前記少なくとも１つのプロセッサは、前記周波数帯域で動作する前記少なくとも１つのＵＥの前記能力または前記ＢＳの能力のうちの少なくとも１つに基づいて、動作周波数帯域中で多重化するか否かを決定するように構成される、Ｃ８７に記載の装置。
［Ｃ８９］
前記第１の周波数帯域は、６ＧＨｚよりも高く、前記第２の周波数帯域は、サブ６ＧＨｚ帯域である、Ｃ８７に記載の装置。
［Ｃ９０］
前記少なくとも１つのプロセッサは、周波数リソースの第１のセットを前記ページング信号に、周波数リソースの第２のセットを前記同期信号に割り振ることによって多重化するように構成され、前記第１のセットと前記第２のセットとは、オーバーラップしない、Ｃ６７に記載の装置。
［Ｃ９１］
前記少なくとも１つのプロセッサは、周波数リソースの第１のセットを前記ページング信号に、周波数リソースの第２のセットを前記同期信号に割り振ることによって多重化するように構成され、前記第１のセットと前記第２のセットとは、少なくとも部分的にオーバーラップする、Ｃ６７に記載の装置。
［Ｃ９２］
前記ページング信号の送信は、前記同期信号の周辺でレートマッチングされる、Ｃ９１に記載の装置。
［Ｃ９３］
前記同期信号は、物理ブロードキャストチャネル（ＰＢＣＨ）、プライマリ同期信号（ＰＳＳ）、およびセカンダリ同期信号（ＳＳＳ）を有する同期信号ブロックを含む、Ｃ６７に記載の装置。
［Ｃ９４］
ユーザ機器（ＵＥ）によるワイヤレス通信のための装置であって、
ページング信号と同期信号とが基地局（ＢＳ）で多重化されるか否かを決定する際に使用するために、ＵＥの少なくとも１つの能力を送信することと、
前記ＵＥの前記少なくとも１つの能力に基づいて、前記ＵＥで受信した多重化されたページング信号と同期信号とを処理することと、
を行うように構成された少なくとも１つのプロセッサと、
前記少なくとも１つのプロセッサに結合されたメモリと、
を備える、装置。
［Ｃ９５］
前記少なくとも１つのプロセッサはさらに、前記ＵＥの前記少なくとも１つの能力を報告するためのリクエストを受信するように構成され、前記送信することは、前記リクエストに応答する、Ｃ９４に記載の装置。
［Ｃ９６］
前記リクエストを受信することは、物理ダウンリンク制御チャネル（ＰＤＣＣＨ）、無線リソース制御（ＲＲＣ）シグナリング、マスタ情報ブロック（ＭＩＢ）、スケジューリング情報、システム情報、または同期信号のうちの少なくとも１つを介して、前記ＢＳから前記リクエストを受信することを備える、Ｃ９５に記載の装置。
［Ｃ９７］
前記少なくとも１つのプロセッサは、物理アップリンク制御チャネル（ＰＵＣＣＨ）、物理アップリンク共有チャネル（ＰＵＳＣＨ）、あるいはランダムアクセスチャネル（ＲＡＣＨ）プロシージャのメッセージ１またはメッセージ３、のうちの少なくとも１つを介して、前記ＵＥの前記少なくとも１つの能力を送信することによって送信するように構成される、Ｃ９４に記載の装置。
［Ｃ９８］
前記少なくとも１つの能力は、前記ＵＥによってサポートされる最低限の帯域幅、前記ＵＥで利用可能なアンテナポートの数、または前記ＵＥで利用可能なアンテナ要素サブアレイの数、のうちの少なくとも１つを含む、Ｃ９４に記載の装置。
［Ｃ９９］
前記少なくとも１つのプロセッサは、時間リソースのセット、周波数リソースのセット、またはそれらの組み合わせにおいて受信された、前記ページング信号と前記同期信号とを処理することによって処理するように構成される、Ｃ９４に記載の装置。
【図１】
0006848092.tif 000002
【図２】
0006848092.tif 000003
【図３】
0006848092.tif 000004
【図４】
0006848092.tif 000005
【図５】
0006848092.tif 000006
【図６】
0006848092.tif 000007
【図７】
0006848092.tif 000008
【図８】
0006848092.tif 000009
【図９】
0006848092.tif 000010
【図１０】
0006848092.tif 000011
【図１１】
0006848092.tif 000012
【図１２】
0006848092.tif 000013